(57)【要約】  本発明は、概して、吊り天井クリップと、キー固定隠しグリッド吊り天井システムにおいて溝型材のグリッドワークを支持するために係るクリップを使用する方法と、に関する。吊り天井クリップは、下地溝型材を上部クロスレールに取り付けるために使用される。クリップは、長手方向に延長する基部と、基部から下方に延長する１対のフランジであって、１対のフランジの間に基部が配置されている、フランジと、下地溝型材に解放可能に接続するよう適合された、各フランジ上の１対のフックと、各フランジにおける少なくとも１つの突起物であって、各突起物は、クリップを上部クロスレールの長手方向スロット内に固定するために上部クロスレール上の表面と係合する、突起物と、を含み、１対のフランジは、上部クロスレールと下地溝型材とを離間させ、それにより上部クロスレールと下地溝型材との間に空隙を提供するために、前記基部から所定距離だけ延長する。【選択図】図２
2017520693.tif 000002
【特許請求の範囲】
【請求項１】
下地溝型材を上部クロスレールに取り付けるための吊り天井クリップであって、
長手方向に延長する基部と、
前記基部から下方に延長する１対のフランジであって、前記１対のフランジの間に前記基部が配置されている、フランジと、
前記下地溝型材に解放可能に接続するよう適合された、各フランジ上の１対のフックと、
各フランジにおける少なくとも１つの突起物であって、各突起物は、前記クリップを前記上部クロスレールの長手方向スロット内に固定するために前記上部クロスレール上の表面と係合する、突起物と、
を含み、
前記１対のフランジは、前記上部クロスレールと前記下地溝型材とを離間させ、それにより前記上部クロスレールと前記下地溝型材との間に空隙を提供するために、前記基部から所定距離だけ延長する、
クリップ。
【請求項２】
各フランジ上の前記１対のフックは、前記下地溝型材から延長する、外向きに向かい合わせの長手方向顎部に解放可能に接続するよう適合されている、請求項１に記載のクリップ。
【請求項３】
前記１対のフランジは、前記基部から下向きに延長する、略平行で、同一の広がりを有するフランジである、請求項１または請求項２に記載のクリップ。
【請求項４】
前記クリップの前記基部から前記フックまでの前記所定距離は５０〜５００ｍｍの範囲内である、請求項１〜請求項３のうちのいずれか１項に記載のクリップ。
【請求項５】
前記１対のフランジは前記基部により構成される溝型材区域から下方に延長し、前記溝型材区域から離れるよう分岐し、２つの側面区域が前記基部の両方の側面から延長する、請求項１または請求項２に記載のクリップ。
【請求項６】
前記１対のフランジは下方に延長し、前記基部の中心を通る垂直軸の両側で等しい角度が形成されるように互いから離れるよう分岐する、請求項５に記載のクリップ。
【請求項７】
前記等しい角度は、前記基部の前記中心を通る前記垂直軸の両側でおよそ３０度である、請求項６に記載のクリップ。
【請求項８】
前記フックを離間させ、前記クリップの前記フック端部において前記クリップを強化するために、少なくとも１つのプレートが前記フックの近傍の位置において挿入される、請求項５〜請求項７のうちのいずれか１項に記載のクリップ。
【請求項９】
前記少なくとも１つのプレートは、各フックが定位置において支持され堅固に保持されるよう、前記クリップの各コーナーにおいて固定的に接続される、請求項５〜請求項８のうちのいずれか１項に記載のクリップ。
【請求項１０】
前記クリップの前記基部から前記フックまでの前記所定距離は５０〜５００ｍｍの範囲内である、請求項５〜請求項９のうちのいずれか１項に記載のクリップ。
【請求項１１】
前記少なくとも１つの突起物は、前記クリップの前記基部の近傍の位置において前記フランジからプレス成形される、請求項１に記載のクリップ。
【請求項１２】
２つの突起物が、各フランジにおいて、前記クリップの前記基部における位置または前記基部の近傍でプレス成形される、請求項１１に記載のクリップ。
【請求項１３】
前記プレス成形された突起物は、各それぞれのフランジから横方向外側に延長する傾斜表面を形成する、請求項１１または請求項１２に記載のクリップ。
【請求項１４】
前記上部クロスレールは、１対の略平行で同一の広がりを有するフランジを有する、長手方向に延長する基部を含み、前記フランジは、前記基部から下方に延長し、内向きに向かい合わせの長手方向顎部により縁取られた前記長手方向スロットを各フランジ上に形成する、請求項１に記載のクリップ。
【請求項１５】
前記フランジを弾性変形させることにより、前記突出物および前記傾斜区域は、前記上部クロスレールから延長する内向きに向かい合わせの長手方向顎部にスナップ嵌合することと、前記上部クロスレールから前記クリップが外れることを防止することと、が可能になる、請求項１４に記載のクリップ。
【請求項１６】
前記クリップは、前記フランジが弾性変形されたときに前記クロスレールに沿って自由に摺動し、それにより前記クリップが前記上部クロスレール内で調節可能となるよう設計されている、請求項１４または請求項１５に記載のクリップ。
【請求項１７】
前記上部クロスレールの上部区域を収容および固定するための顎部を有する、ハンガー組立体であって、前記上部クロスレールを、吊り天井の上方に配置された建築物の構造部品から、選択されたレベルにおいて懸下するための調節可能な固定部を有するハンガー組立体をさらに含む、請求項１に記載のクリップ。
【請求項１８】
前記調節可能な固定部は、アパーチャが設けられた弓形の板バネにより近位端部において摩擦により一緒に接合される１対の延長可能な棒状体を含む、請求項１７に記載のクリップ。
【請求項１９】
弾性変形可能な物質から製造された、請求項１〜請求項１８のうちのいずれか１項に記載のクリップ。
【請求項２０】
前記弾性変形可能な物質は、アルミニウムもしくは鉄鋼または高密度プラスチック材料から作られたシートメタルのうちのいずれか１つである、請求項１９に記載のクリップ。
【請求項２１】
面一に取り付けられる建築業者用天井ボードは前記下地溝型材の前記底部に固定される、請求項１〜請求項２０のうちのいずれか１項に記載のクリップ。
【請求項２２】
前記上部クロスレールと前記下地溝型材との間に形成される前記空隙は、前記面一に取り付けられた建築業者用天井ボードおよび前記空隙内の構成品を、面一に取り付けること、または、取り付けること、を可能にするようなサイズである、請求項１〜請求項２１のうちのいずれか１項に記載のクリップ。
【請求項２３】
ハンガー組立体から懸下された複数の上部クロスレールのグリッド構造を含む吊り天井において使用するためのクリップであって、面一に取り付けられた建築業者用天井ボードが、複数の平行に取り付けられた下地溝型材に固定され、前記平行に取り付けられた下地溝型材は、前記上部クロスレールの下方で延長し、前記上部クロスレールと交差し、前記クリップは、
長手方向に延長する基部と、
前記基部から下方に延長する１対のフランジであって、前記１対のフランジの間に前記基部が配置されている、フランジと、
前記平行に取り付けられた下地溝型材に解放可能に接続するよう適合された、各フランジ上の１対のフックと、
各フランジにおける少なくとも１つの突起物であって、各突起物は、前記上部クロスレール上の表面と係合する、突起物と、
を含み、
前記１対のフランジは、前記クリップが前記上部クロスレール内に挿入されることが可能となるよう、弾性変形し、各フランジは、前記上部クロスレールと前記平行に取り付けられた下地溝型材とを離間させ、それにより前記上部クロスレールと前記下地溝型材との間に空隙が提供されるよう、所定距離だけ前記基部から延長する、
クリップ。
【請求項２４】
建築物の部屋内で懸下するための天井建造物または外部天井であって、前記部屋内で組み立てられたときに、
複数の平行な離間された上部クロスレールと、
前記建築物の構造部品に固定され、且つ、各上部クロスレールと接続された、長さが調節可能な複数のハンガー組立体であって、各上部クロスレールは、前記上部クロスレールのうちの他の上部クロスレールと共通の平面において選択された同じ高さで懸下する、ハンガー組立体と、
面一に取り付けられた建築業者用天井ボードが固定されている、複数の平行に取り付けられた下地溝型材であって、前記上部クロスレールの下方で延長し、前記上部クロスレールと交差する、平行に取り付けられた下地溝型材と、
前記平行に取り付けられた下地溝型材が所定距離だけ前記上部クロスレールから離間し、それにより前記平行に取り付けられた下地溝型材と前記上部クロスレールとの間に空隙が提供されるよう、前記上部クロスレールを前記平行に取り付けられた下地溝型材に接合するための、請求項１〜請求項２３のうちいずれか１項に記載のクリップと、
を含む、天井建造物または外部天井。
【請求項２５】
請求項１〜請求項２３のうちのいずれか１項に記載のクリップを使用して吊り天井を構築する方法であって、
少なくとも１つのハンガーを建築物の構造部品から固定するステップと、
少なくとも１つの上部クロスレールを前記少なくとも１つのハンガーに取り付けるステップと、
少なくとも１つのクリップを前記上部クロスレールの長手方向スロットの内部に挿入するステップと、
少なくとも１つの平行に取り付けられた下地溝型材を、前記上部クロスレールの下方に、および、前記クリップ上のフックに取り付けられた状態で、配置するステップと、
を含み、
前記クリップにより前記上部クロスレールを前記平行に取り付けられた下地溝型材に前記接合することは、前記平行に取り付けられた下地溝型材が前記上部クロスレールから所定距離だけ離間され、それにより前記平行に取り付けられた下地溝型材と前記上部クロスレールとの間に空隙が提供されるよう、行われる、
方法。
【請求項２６】
建築物の部屋内の吊り天井または外部天井であって、前記部屋内で組み立てられたときに、
複数の平行な離間された上部クロスレールと、
前記建築物の構造部品に固定され、且つ、各上部クロスレールと接続された、長さが調節可能な複数のハンガー組立体であって、各上部クロスレールは、前記上部クロスレールのうちの他の上部クロスレールと共通の平面において選択された同じ高さで懸下する、ハンガー組立体と、
前記平行に取り付けられた下地溝型材の第１群が第１所定距離だけ前記上部クロスレールから離間し、それにより前記平行に取り付けられた下地溝型材の前記第１群と前記上部クロスレールとの間に空隙が提供されるよう、前記上部クロスレールを前記平行に取り付けられた下地溝型材の前記第１群に接合するための、請求項１〜請求項２３のうちいずれか１項に記載の第１クリップと、
前記平行に取り付けられた下地溝型材の第２群が第２所定距離だけ前記上部クロスレールから離間し、それにより前記平行に取り付けられた下地溝型材の前記第２群と前記上部クロスレールとの間に空隙が提供されるよう、前記上部クロスレールを前記平行に取り付けられた下地溝型材の前記第２群に接合するための、請求項１〜請求項２３のうちいずれか１項に記載の第２クリップと、
前記下地溝型材の第１群に固定された第１の面一に取り付けられた建築業者用天井ボードと、
前記下地溝型材の第２群に固定された第２の面一に取り付けられた建築業者用天井ボードと、
を含み、
前記第２所定距離は、前記第１所定距離よりも大きく、それにより前記天井において２つの異なる高さが形成される、
吊り天井または外部天井。
【請求項２７】
前記第１天井ボードと前記第２天井ボードとの間の前記間隙を閉じるために、垂直に取り付けられた第３の面一に取り付けられた建築業者用天井ボードをさらに含む、請求項２６に記載の吊り天井。
【請求項２８】
前記第１クリップおよび前記第２クリップは、前記吊り天井においてバルクヘッドを設計するために使用される、請求項２６または請求項２７に記載の吊り天井。
【発明の詳細な説明】
【技術分野】
【０００１】
本発明は、概して、頭上構造物から懸下された溝型材のグリッドワークを支持するよう適合された種類の天井懸下ユニットに関する。特に、本発明は、吊り天井クリップと、キー固定隠しグリッド吊り天井システムにおいて溝型材のグリッドワークを支持するために係るクリップを使用する方法と、に関する。
【背景技術】
【０００２】
本明細書における先行技術に対する参照は、係る先行技術が当該技術分野における一般的な一般的知識を構成するものであるとの承認として解釈されるべきではないことに留意されたい。
【０００３】
ドロップ天井または屋根型天井とも呼ばれることもある吊り天井は周知であり、様々な設計オプションが利用可能である。吊り天井は通常、プレナムに取り付けられたワイヤまたは棒状体からつり下げられた、支持部材の懸下されたグリッドと、係るグリッドに固定されたパネルまたは厚板と、を含む。これらの天井が普及しているのは、少なくとも部分的には、係るシステムの設置が簡単且つ容易である点と関連付けられた、視覚的および音響的な利益によるものである。
【０００４】
吊り天井の最も一般的な形態は軽量パネルを含む。この軽量パネルは、多くの場合は形状が正方形または長方形であり、追加的な締結機構を用いることなく支持用Ｔグリッド（Ｔ−ｇｒｉｄ）へと落下する。この種のドロップ天井は、空調設備、配線、配管、その他にアクセスするために、天井の上方のプレナム空間に対する容易なアクセスを提供する。しかし、多くの顧客（住居および商用の両方）は、この種の天井を魅力に欠けるものと見る。
【０００５】
したがって、面一の建築用板材の天井仕上げを含む、より審美的に快適な吊り天井に対する需要が高まりつつある。これらのシステムは通常、より快適な面一仕上げを提供するために、支持するＴグリッドを取り除き、石膏ボードを溝型材のグリッドワークおよび頭上の構造物に対して直接固定する。これらシステムでは、下地溝型材のグリッドおよび上部クロスレールを支持構造の下方に懸下するためにクリップおよびハンガーが使用され、次に、下地溝型材が適切な板材内張で包まれ得る。これにより、設計者が天井のレベルを要求された高さにまで降下させ、空調などのサービスを行うためのスペースを天井の空隙に提供することが可能となる。
【発明の概要】
【発明が解決しようとする課題】
【０００６】
これらの直接固定システムは審美的にはより快適であるが、現在の設置に関する困難は、より一般的な落下式のパネルと関連付けられていない。この種のシステムは通常、石膏ボードを懸下するため、特別な支持グリッドを必要とする。特別な支持グリッドは、溝型材のグリッドワークを含む。係るグリッドワークのために、天井システムは、より高価なもの、および／またはより複雑なものとなり得る。石膏ボードが下地溝型材に直接的に固定されているために、仕上げられた石膏ボード表面と上部クロスレールとの間の距離は、下地溝型材を上部クロスレールに保持する固定キーにより決定される。天井システム内にまたは天井システム上に製品を取り付けるときには、この最小距離が考慮されなければならない。例えば、埋め込み式の照明または同様の構成要素を天井に取り付けるときに、上部クロスレールと下地溝型材との間の隙間が問題となり得る。
【０００７】
石膏ボードを直接固定するために必要とされる下地溝型材および上部クロスレールの数を考慮すれば、照明器具、スピーカ、空調ダクト、および通気孔などの製品が配置され得る場所がある程度限定されることとなり得る。これらの製品は通常、石膏ボードの外側表面上で面一に取り付けられ、これらの製品のサイズの大部分は、石膏ボードと、吊り天井のフレームを形成する溝型材のグリッドワークと、の間に形成される天井空隙内に配置される。したがって、これらの製品のために十分な隙間が空隙内に必要となる。同様に、これらの製品は通常、何らかの形態のクリップ保持器を使用して取り付けられる。クリップ保持器は、製品が配置される石膏ボードの反対側面上に取り付けられる必要がある。したがって、吊り天井の溝型材のグリッドワーク内にこれらの取り付け装置に対して十分な隙間が必要である。
【０００８】
係る取り付け装置の設置が時間を要し、天井の大きい広がりにわたって間隔の精度を維持することが困難であるという点でも、多くの難題が存在する。上方のプレナムに対する容易なアクセスを提供する支持システム設計は通常、支持システムが下方から見え過ぎるという乱雑化された外観を犠牲にして達成される。他の問題は、埋め込み蛍光灯固定具に平行して通過する支持体がしばしば、固定具に取り付けられる空気供給ブーツより提供される室内供給空気の流れとの干渉を最小化させるために、障害物がない状態に保たれなければならないエリアに侵入する、という点である。
【０００９】
上述の欠点のうちのいくつかを少なくとも改善することを支援する吊り天井用の固定キーが考案されたならば、明らかに有利となるであろう。特に、上部クロス溝型材と下地溝型材との間に隙間を提供する能力、または有用な代替物を少なくとも提供する能力、を有する固定キーが考案されたならば、有利となるであろう。
【課題を解決するための手段】
【００１０】
本発明の第１の態様によれば、本発明は上部クロスレールに下地溝型材を取り付けるための吊り天井クリップを提供する。この吊り天井クリップは、長手方向に延長する基部と、基部から下方に延長する１対のフランジであって、１対のフランジの間に基部が配置されている、フランジと、下地溝型材に解放可能に接続するよう適合された、各フランジ上の１対のフックと、各フランジにおける少なくとも１つの突起物であって、各突起物は、クリップを上部クロスレールの長手方向スロット内に固定するために上部クロスレール上の表面と係合する、突起物と、を含み、１対のフランジは、上部クロスレールと下地溝型材とを離間させ、それにより上部クロスレールと下地溝型材との間に空隙を提供するために、前記基部から所定距離だけ延長する。
【００１１】
好適には、各フランジ上の１対のフックは、下地溝型材から延長する、外向きに向かい合わせの長手方向顎部に解放可能に接続するよう適合され得る。この１対のフランジは、基部から下向きに延長する、略平行で、同一の広がりを有するフランジであり得る。
【００１２】
好適には、クリップの基部からフックまでの所定距離は５０〜５００ｍｍの範囲内であり得る。
【００１３】
代替的に、１対のフランジは基部により形成される溝型材区域から下方に延長し、溝型材区域から離れるよう分岐し、２つの側面区域が基部の両方の側面から延長し得る。１対のフランジは下方に延長し、基部の中心を通る垂直軸の両側で等しい角度が形成されるように互いから離れるよう分岐し得る。好適には、等しい角度は、基部の中心を通る垂直軸の両側でおよそ３０度であり得る。好適には、フックを離間させ、クリップのフック端部においてクリップを強化するために、少なくとも１つのプレートがフックの近傍の位置において挿入され得る。少なくとも１つのプレートは、各フックが定位置において支持され堅固に保持されるよう、クリップの各コーナーにおいて固定的に接続され得る。好適には、クリップの基部からフックまでの所定距離は５０〜５００ｍｍの範囲内であり得る。
【００１４】
好適には、少なくとも１つの突起物は、クリップの基部の近傍の位置においてフランジからプレス成形され得る。代替的に、２つの突起物が、各フランジにおいて、クリップの基部における位置または基部の近傍でプレス成形され得る。プレス成形された突起物は、各それぞれのフランジから横方向外側に延長する傾斜表面を形成し得る。
【００１５】
好適には、上部クロスレールは、１対の略平行で同一の広がりを有するフランジを有する、長手方向に延長する基部を含み、フランジは、基部から下方に延長し、内向きに向かい合わせの長手方向顎部により縁取られた長手方向スロットを各フランジ上に形成し得る。フランジを弾性変形させることにより、突起物および傾斜区域は、上部クロスレールから延長する内向きに向かい合わせの長手方向顎部にスナップ嵌合することと、上部クロスレールからクリップが外れることを防止することと、が可能である。
【００１６】
好適には、クリップは、フランジが弾性変形されたときにクロスレールに沿って自由に摺動し、それによりクリップが上部クロスレール内で調節可能となるよう設計され得る。
【００１７】
好適には、クリップは、上部クロスレールの上部区域を収容および固定するための顎部を有するハンガー組立体であって、上部クロスレールを、吊り天井の上方に配置された建築物の構造部品から、選択されたレベルにおいて懸下するための調節可能な固定部を有するハンガー組立体をさらに含み得る。調節可能な固定部は、アパーチャが設けられた弓形の板バネにより近位端部において摩擦により一緒に接合される１対の延長可能な棒状体を含み得る。
【００１８】
好適には、クリップは弾性変形可能な物質から製造され得る。弾性変形可能な物質は、アルミニウムもしくは鉄鋼または高密度プラスチック材料から作られたシートメタルのうちのいずれか１つであり得る。
【００１９】
好適には、面一に取り付けられる建築業者用天井ボードは下地溝型材の底部に固定され得る。上部クロスレールと下地溝型材との間に形成される空隙は、面一に取り付けられた建築業者用天井ボードおよび空隙内の構成要素を、面一に取り付けること、または、取り付けること、を可能にするようなサイズであり得る。
【００２０】
さらなる態様によれば、本発明は、ハンガー組立体から懸下された複数の上部クロスレールのグリッド構造を含む吊り天井において使用するためのクリップであって、面一に取り付けられた建築業者用天井ボードが、複数の平行に取り付けられた下地溝型材に固定され、平行に取り付けられた下地溝型材は、上部クロスレールの下方で延長し、上部クロスレールと交差する、クリップを提供する。このクリップは、長手方向に延長する基部と、基部から下方に延長する１対のフランジであって、１対のフランジの間に基部が配置されている、フランジと、平行に取り付けられた下地溝型材に解放可能に接続するよう適合された、各フランジ上の１対のフックと、各フランジにおける少なくとも１つの突起物であって、各突起物は、上部クロスレール上の表面と係合する、突起物と、を含み、１対のフランジは、クリップが上部クロスレール内に挿入されることが可能となるよう、弾性変形し、各フランジは、上部クロスレールと平行に取り付けられた下地溝型材とを離間させ、それにより上部クロスレールと下地溝型材との間に空隙が提供されるよう、所定距離だけ基部から延長する。
【００２１】
さらなる態様によれば、本発明は、建築物の部屋内で懸下するための天井建造物または外部天井であって、前記部屋内で組み立てられたときに、複数の平行に離間された上部クロスレールと、建築物の構造部品に固定され、且つ、各上部クロスレールと接続された、長さが調節可能な複数のハンガー組立体であって、各上部クロスレールは、上部クロスレールのうちの他の上部クロスレールと共通の平面において選択された同じ高さで懸下する、ハンガー組立体と、面一に取り付けられた建築業者用天井ボードが固定されている、複数の平行に取り付けられた下地溝型材であって、上部クロスレールの下方で延長し、上部クロスレールと交差する、下地溝型材と、平行に取り付けられた下地溝型材が所定距離だけ上部クロスレールから離間し、それにより平行に取り付けられた下地溝型材と上部クロスレールとの間に空隙が提供されるよう、上部クロスレールを平行に取り付けられた下地溝型材に接合するための、前述の態様のうちのいずれか１つに関連する特徴を有するクリップと、を含む、天井建造物または外部天井を提供する。
【００２２】
さらなる態様によれば、本発明は、前述の態様のうちのいずれか１つの特徴を有するクリップを使用して、吊り天井を構築する方法を提供する。この方法は、少なくとも１つのハンガーを建築物の構造部品から固定するステップと、少なくとも１つの上部クロスレールを少なくとも１つのハンガーに取り付けるステップと、少なくとも１つのクリップを上部クロスレールの長手方向スロットの内部に挿入するステップと、少なくとも１つの平行に取り付けられた下地溝型材を、上部クロスレールの下方に、および、クリップ上のフックに取り付けられた状態で、配置するステップと、を含み、クリップにより上部クロスレールを平行に取り付けられた下地溝型材に接合することは、平行に取り付けられた下地溝型材が上部クロスレールから所定距離だけ離間され、それにより平行に取り付けられた下地溝型材と上部クロスレールとの間に空隙が提供されるよう、行われる。
【００２３】
さらなる態様によれば、本発明は、建築物の部屋内の吊り天井または外部天井を提供する。この吊り天井または外部天井は、部屋内で組み立てられたときに、複数の平行な離間された上部クロスレールと、建築物の構造部品に固定され、且つ、各上部クロスレールと接続された、長さが調節可能な複数のハンガー組立体であって、各上部クロスレールは、上部クロスレールのうちの他の上部クロスレールと共通の平面において選択された同じ高さで懸下する、ハンガー組立体と、平行に取り付けられた下地溝型材の第１群が第１所定距離だけ上部クロスレールから離間し、それにより平行に取り付けられた下地溝型材の第１群と上部クロスレールとの間に空隙が提供されるよう、上部クロスレールを平行に取り付けられた下地溝型材の第１群に接合するための、前述の態様のうちのいずれか１つに記載の第１クリップと、平行に取り付けられた下地溝型材の第２群が第２所定距離だけ上部クロスレールから離間し、それにより平行に取り付けられた下地溝型材の第２群と上部クロスレールとの間に空隙が提供されるよう、上部クロスレールを平行に取り付けられた下地溝型材の第２群に接合するための、前述の態様のうちのいずれか１つに記載の第２クリップと、下地溝型材の第１群に固定された第１の面一に取り付けられた建築業者用天井ボードと、下地溝型材の第２群に固定された第２の面一に取り付けられた建築業者用天井ボードと、を含み、第２所定距離は第１所定距離よりも大きく、それにより天井において２つの異なる高さが形成される。
【００２４】
好適には、吊り天井は、第１天井ボードと第２天井ボードとの間の間隙を閉じるために、垂直に取り付けられた第３の面一に取り付けられた建築業者用天井ボードをさらに含み得る。第１クリップおよび第２クリップは、吊り天井においてバルクヘッドを設計するために使用され得る。
【００２５】
本発明は、以下で与えられる詳細な説明から、および、本発明の好適な実施形態の添付の図面から、より詳細に理解されるであろう。しかし、係る詳細な説明および添付の図面は、本発明を限定するものであると解釈してはならず、単に説明および理解のためのものにすぎない。
【図面の簡単な説明】
【００２６】
【図１】構築された隠し吊り天井の一部の破断透視図である。
【図２】本発明の第１の実施形態に係る、下地溝型材を上部クロス溝型材に固定するために使用される固定用クリップの斜視図である。
【図３】本発明の第２の実施形態に係る、下地溝型材を上部クロス溝型材に固定するために使用される固定用クリップの斜視図である。
【図４】図３の固定用クリップの一方の端部を示す図である。
【図５】使用時の図２および図３の固定用クリップを示す、構築された吊り天井の一部の破断透視図である。
【図６】図３の固定用クリップを使用して天井に取り付けられた空調ダクトおよびスピーカを示す、吊り天井の側面図である。
【図７】図３の固定用クリップを使用して天井に取り付けられた空調ダクトおよび照明器具を示す、吊り天井の側面図である。
【図８】天井のバルクヘッド設計に対する本発明の一実施形態に係る固定用クリップの使用を示す吊り天井の側面図である。
【発明を実施するための形態】
【００２７】
単に例示として与えられた以下の記載は、好適な実施形態（単数または複数）の発明主題に関するより正確な理解を提供するために説明されるものである。
【００２８】
図１は通常の隠し吊り天井１０を示す。ここでは、面一に取り付けられた建築業者用天井ボード（例えば、定位置に固定された石膏ボード１５など）が示されている。図１では、完全な構造物１０は、屋根上の、または、より高いレベルの部屋の床梁上の、固定点（図示せず）から懸下ハンガー１２により懸下されている。懸下ハンガー１２は、分岐するフリーアーム部を有する「Ｕ」字形状のバネクリップを含む。バネクリップはその基部が垂直プレートにリベット締めされ、それによりハンガー１２の本体が形成される。アーム部の端部の付近に穴が提供されている。天井懸下棒状体１１が前記穴を通り、それによりハンガー１２は、バネのアーム部が前記棒状体１１に対して突き当たる作用により、前記棒状体１１に固定される。アーム部が互いに向かって移動されると、棒状体１１が解放され、それにより前記棒状体１１に対して上方または下方にハンガー１２を摺動させることが可能となる。
【００２９】
ハンガー本体プレートの下方端部にはスロットが設けられている。それにより、ハンガー１２を上部クロスレール１３に取り付けるための内側に向けられたフックが形成される。任意の所望の形状のクロスレールまたは棒材１３は好適な拡張した寸法の長手方向基部を有し、係る基部は、ハンガー１２により、その対向する端部フック間で、保持される。完全な天井懸下システム１０では、いくつかの、または多数の平行な上部クロスレールまたは棒材１３が離間されたハンガー組立体１２により懸下され、それにより、そこから石膏ボードパネル１５が支持されることになる基盤が形成される。
【００３０】
内向きの長手方向顎部９０により縁取られた長手方向スロットを上部クロスレール１３に提供することが一般に行われている（図５参照）。石膏ボードパネル１５を支持するための好適な形態の下地溝型材１４が、個々のクリップ装置１７により、上部クロスレール１３に対して直角に支持される。石膏ボード１５は好適な締結具１６により下地溝型材１４に取り付けられる。各クリップ装置１７は、平坦基部と、略平行なアーム部と、を有する、略Ｕ字形状に折り畳まれたシートメタルのプレートとして形成される。中間位置において、２つのアーム部は外側に向けられたタブ３０およびタブ６０を有する。各アーム部の外側縁部は、２つの長手方向に延長するフック要素１８を担持する。これらのフック要素１８は、クリップ装置１７上の離間した位置におけるアーム部の各端部に配置され、互いに対向し合うフック１８を有する。フック要素１８は、下地溝型材１４から延長する外向きに向かい合わせの長手方向顎部１９と接続する。組み立て中には、クリップ装置１７は、その基部部分が先行する状態でクロス棒材１３のスロットへと上向きに付勢される。その結果、クリップ１７は、そのアーム部におけるタブ３０およびタブ６０により、上部クロスレール１３の長手方向顎部９０間で、保持されることとなるであろう。
【００３１】
この組み立てから、それぞれの構成要素間の非常に堅固な接続がもたらされる。距離Ｘ（図１）は、石膏ボード１５の背面が上部クロスレール１３の底部から離れて位置する距離を表す。距離Ｘは下地溝型材１４の高さも表す。
【００３２】
図２および図３は本発明に係るクリップ２０およびクリップ５０の２つの実施形態を表す。図２では第１の実施形態が示されている。第１の実施形態では、クリップ２０は、上部クロスレール１３の長手方向スロット内にスナップ嵌合するよう設計されている。通常、上部クロスレール１３は、コンクリートスラブまたは木造構造物の下方表面に直接的に取り付けられるか、または上方のコンクリートスラブまたはフロア構造から棒状体１２または同様のハンガー部材１２により懸下される。上部クロスレール１３は長手方向上部と、１対の略平行で同一の広がりを持つフランジと、を有する。フランジは上部から略下方に突出し、長手方向に延長する空隙を提供する。この空隙へと、クリップ２０が突出する。フランジのそれぞれは、上向きに延長する内向きの長手方向部分９０を有する下方縁部に沿って終端する。長手方向部分９０は、クリップ２０のタブ３０に係合するよう適合されている。
【００３３】
クリップ２０はその構成が溝型材となっており、第１端部２５から第２端部２６まで延長する長手方向基部２１と、長手方向に延長するフランジ２２およびフランジ２３の対と、を有する。基部２１はフランジ２２とフランジ２３との間に配置される。なおフランジ２２およびフランジ２３は基部２１から下方に延長する。基部２１は内側（下方）表面および外側（上方）表面を有する。フランジ２２およびフランジ２３の各フランジには、１つまたは複数の突起物３０または外側に向けられたタブ３０が提供される。この実施形態では、突起物３０は、フランジ２２、２３からプレス成形され、それによりタブまたは傾斜表面３０が形成される。突起物３０は、フランジ２２、２３の外側に、クリップ２０の基部２１の近傍に配置される。クリップ２０は各フランジ２２、２３において少なくとも１つの、好適には２つの、強化要素２４も有する。強化要素２４は、シートメタルの打ち抜きまたはプレス成形により形成される。例えば、打ち抜き（またはプレス成形とも知られる）とは、ブランク形態またはコイル形態にある平坦なシートメタルを打ち抜きプレスに配置し、打ち抜きプレスにおいて工具およびダイ表面がメタルをネット形状に形成するプロセスである。この特定的なケースでは、打ち抜きまたはプレス成形が、クリップ２０の各側面における強化要素２４を形成するために、使用される。クリップのサイズがおよそ２００〜５００ｍｍの長さに広がる場合、強化要素の形成は特に重要である。要素２４により加えられる強度は、さらに屈曲の安定性をクリップ２０に対して提供する。
【００３４】
さらなる強化は、下向きに延長するフランジ２２とフランジ２３との間で固定的に保持されるプレート（図示せず）の形態で、クリップ２０に加えられ得る。クリップ２０の長さ（フランジ２２およびフランジ２３の長さ）に応じて、２つ以上のプレートが、クリップ２０のさらなる補強および強化のために、必要となり得る。通常、プレートが、クリップ２０のフック端部に向かうフランジ２２、２３の下方端部において溶接され得る。
【００３５】
各クリップ装置２０は、平坦基部２１と、基部２１の両側面から延長する略平行なアーム部２２、２３と、を有するＵ字形状溝型材構成をほぼ形成するよう折り畳まれたシートメタルのプレートとして形成され得る。各アーム部２２、２３の外側下方縁部は、２つの長手方向に延長するフック要素４０を担持する。各フック要素４０は、クリップ装置２０上で離間された位置において各アーム部２２、２３の向かい合わせの端部に配置されている。ここで、各フック４０は互いに向かって内側に向けられている。フック要素４０は下地溝型材１４から延長する外向きに向かい合わせの長手方向顎部１９と接続する。端部ポイント４１へと突出するフック４０と、切り抜き区域４２と、を含む各アーム部２２、２３の底部区域は、下地溝型材１４を切り抜き区域４２に挿入することが可能となるよう設計されている。下地溝型材１４の向かい合わせの長手方向顎部１９は、クリップ２０のフック４０へと上向きに押し込まれ、フック４０内に保持される。したがって、切り抜き区域の形状は下地溝型材１４の形状と実質的に一致する。
【００３６】
基部２１から各アーム部またはフランジ２２、２３のフック４０の底部まで測定される長さは、クロスレール１３と、下地溝型材１４の底部（石膏ボード１５が下地溝型材１４の表面に固定される）と、の間の隙間を提供するようなサイズである。したがって、石膏ボード１５の裏面と、上部クロスレール１３の底部と、の間に空隙が提供される。空隙は、スピーカ、照明器具、および空調設備の構成要素などの製品が、石膏ボード１５内に、および石膏ボード１５を通して、面一に取り付けられることを可能にする。このことに関しては、以下の図６および図７でさらに説明するであろう。しかし、クリップ２０および５０の使用が構成要素を天井に面一に取り付けることのみに必ずしも限定されないこと、および吊り天井の分野における他の使用も本発明の範囲に含まれること、も理解されるべきである。通常、アーム部２２、２３のサイズは５０〜５００ｍｍの範囲であり、係る範囲は、本発明に対して、ほぼ同じ寸法の空隙を提供する。
【００３７】
使用時、クリップ２０の傾斜表面３０が上部クロスレール１３の長手方向に延長する顎部９０と係合し、係る顎部９０を越えて押されるよう、クリップ２０は上向き方向に挿入される。フランジ２２、２３および上部クロスレール１３の側面の弾性的な性質により、クリップ２０は、上向きに押されると、上部クロスレール１３内の長手方向スロット内に配置される。クリップ２０の突起物３０が長手方向に延長する顎部９０を越えて移動すると、クリップ２０は顎部９０間の上部クロスレール１３内のスロットにスナップ嵌合する。図５で最もよく見られるように、顎部９０は突起物３０の底部と係合し、突起物３０を顎部９０内に実質的に保持する。初期の上向き方向に対して逆の方向に動くことができないため、突起物３０はクリップ２０が上部クロスレール１３内から外れることを防止する。クリップ２０を上向き方向に押し、上部クロスレール１３の長手方向側面を変形させて、クリップ２０を解放することにより、上部クロスレール１３からクリップ２０を取り外すことが可能である。同様にフック４０が、下地溝型材１４から延長する外向きに向かい合わせの長手方向顎部１９と係合すると、下地溝型材１４は定位置に固定される。次に、これにより、石膏ボード１５が締結具１６により下地溝型材１４の底部区域に固定されることが可能となる。
【００３８】
図３では本発明のさらなる実施形態が示されている。この実施形態では、クリップ５０が上部クロスレール１３内にスナップ嵌合するよう設計されている。クリップ２０と同様に、クリップ５０はその構成が溝型材となっており、第１端部５５から第２端部５６まで延長する長手方向基部５４と、基部５４から下向きに延長する、１対の長手方向に延長するフランジ５２、５３と、を有する。この実施形態では、フランジ５２、５３は基部５４の近傍に初期中間区域を有する。この中間区域は基部５４に対して略直角に延長し、１つまたは複数の突起物６０または外側に向けられたタブ６０を収容する。中間エリアは、中間エリアおよび基部５４のエリア内に形成された開放エリア５７（図４においてより良好に示されている）を形成する。基部５４はフランジ５２とフランジ５３との間に配置される。このフランジ５２およびフランジ５３は中間区域から下向きおよび外向きに延長する。フランジ５２、５３は、基部５４の中心を通り端部５５および５６の両方に位置合わせされた垂直軸に対して約３０度の角度をなす。
【００３９】
この実施形態では突起物６０は中間区域におけるフランジ５２、５３からプレス成形され、それにより傾斜表面６０が形成される。クリップ５０も、各フランジ５２、５３において、少なくとも１つの、好適には２つの、強化要素５１を有する。クリップ５０のフック端部においてさらなる強化を提供するために、プレート８０が、クリップ５０のフランジ５２、５３の底部コーナー８１において固定的に保持される。クリップ２０に関連して上述したように、これらの要素５１は、フランジ５２、５３において打ち抜きまたはプレス成形され得る。通常、プレート８０は各フランジ５３、５３の底部縁部に沿った定位置に溶接される。さらにプレート８０はフランジ５２と５３との間で異なる高さに挿入され得、各プレート８０の位置はフランジ５２、５３の長さに、したがって、石膏ボード１５の裏面と、上部クロスレール１３の底部と、の間に要求される空隙のサイズに、依存する。
【００４０】
各クリップ装置５０は、平坦基部５４と、中間区域と、１対のフランジまたはアーム部５２、５３と、を有する溝型材の構成を形成する、略Ｕ字形状に折られたシートメタルのプレートとして形成され得る。１対のフランジまたはアーム部５２、５３は、下方に延長し、クリップ５０の基部５４を通り抜ける垂直軸から約３０度の角度で分岐する。
【００４１】
各アーム部５２、５３の外側下方縁部は、２つの長手方向に延長するフック要素７０を担持する。これらのフック要素７０は、クリップ装置５０上の離間した位置におけるアーム部５２、５３の各端部に配置され、互いに対向し合うフック７０を有する。フック要素７０は下地溝型材１４から延長する外向きに向かい合わせの長手方向顎部１９と接続する。底部区域は、端部ポイント７１へと突出するフック７０と、下地溝型材１４を切り抜き区域７２へと挿入することが可能となるよう設計された切り抜き区域７２と、を含む。下地溝型材１４の向かい合わせの長手方向顎部１９を上向きに押し上げると、クリップ５０のフック７０内に保持される。したがって切り抜き区域７２の形状は下地溝型材１４の上部区域の形状と実質的に一致する。フランジ５２、５３の各アーム部は、上部クロスレール１３と、下地溝型材１４の底部（石膏ボード１５が下地溝型材１４の表面に固定される）と、の間の隙間を提供するようなサイズである。したがって、以下の図６および図７で示されているように、石膏ボード１５の裏面と、上部クロスレール１３の底部と、の間に空隙を提供することにより、スピーカ、照明器具、および空調設備の構成要素などの製品を容易に設置することが可能となる。通常、アーム部５２、５３は５０〜５００ｍｍの範囲であり、係る範囲は、本発明に対して、ほぼ同じ寸法の空隙を提供する。
【００４２】
使用時、図４で示されているように、タブ６０の傾斜表面が上部クロスレール１３の法律９０と係合するよう、クリップ５０は上向きに挿入される。フランジ５２、５３およびクロスレール１３のフランジ９１が弾性的に変形することにより、クリップ５０はクロスレール１３のフランジ９１間に形成された長手方向スロット内に配置されることが提供される。クリップ５０および突起物６０が長手方向顎部９０を越えて動かされると、クリップ５０はフランジ９１間においてクロスレール１３とスナップ嵌合し、顎部９０は突起物６０の底部と係合し、突起物６０を顎部９０内において実質的に保持する。次に突起物６０が部分９０と係合すると、初期の上向き方向に対して逆方向の動きによりクリップ５０が上部クロスレール１３内から外れることは防止される。クリップ２０に関して上述したように、クリップ５０を上向き方向に押し、上部クロスレール１３の長手方向側面９１を変形させて、クリップ５０を解放することにより、上部クロスレール１３からクリップ５０を取り外すことが可能である。同様に、上部クロスレール１３内におけるクリップ２０の正確な位置決めを可能にするために、クリップ２０は、フランジ９１が弾性的に変形したときに、上部クロスレール１３に沿って自由に摺動するよう設計されている。したがってクリップ２０は上部クロスレール１３内で調節可能となっている。
【００４３】
下地溝型材１４から延長する外向きに向かい合わせの長手方向顎部１９とフック７０が係合すると、下地溝型材１４は定位置に固定される。次に、これにより、石膏ボード１５が締結具１６により下地溝型材１４の底部区域に固定されることが可能となる。プレート８０は、強化を提供し、クリップ５０のフック端部を、離間した状態に保持することを確保する。エリアまたは空隙５８が、分岐するフランジ５２、５３間に形成される。空隙５８は、空調ダクトまたは電気配線導管などの製品の、クリップ５０を通るルーティングが可能にする。
【００４４】
図５では、典型的な隠し吊り天井システムにおけるクリップ２０および５０の両方の使用が示されており、下地溝型材１４の下方における定位置に固定された面一に取り付けられた石膏ボード１５が図示されている。上述のように、完全な構造物は、屋根上の、または、より高いレベルの部屋の床梁（またはコンクリートフロア）上の、固定点（図示せず）から懸下ハンガー１２により懸下されている。ハンガー本体プレートの下方端部にはスロットが設けられている。それにより、ハンガー１２を上部クロスレール１３に取り付けるための内側に向けられたフックが形成される。上部クロスレール１３は、内向きの長手方向に延長する顎部９０により縁取られた長手方向スロットを有する。石膏ボードパネル１５を支持するための好適な形体の下地溝型材１４が、個々のクリップ装置２０、５０により、クロス棒材１３に対して直角に支持される。石膏ボード１５は、好適な締結具１６により下地溝型材１４に対して取り付けられるか、またはネジ固定される。石膏ボード１５が定位置にネジ固定される前に石膏ボード接着剤が下地溝型材１４の下面に塗布され得る。Ｇｙｐｒｏｃｋとも知られている石膏ボード１５は、壁部および天井のための裏張り用の物質であり、石膏プラスターの芯からなり、係る芯が高耐久性のペーパーライナーにより囲まれている。このペーパーライナーはシートの長い縁部を包囲する。
【００４５】
各クリップ装置２０、５０は図２および図３に関連して上述したように形成される。中間位置において、２つのアーム部は、長手方向顎部９０と係合するための外向きのタブ３０およびタブ６０を有する。組み立ての間、クリップ装置２０、５０は、そのベース部分が先行する状態で上部クロス棒材１３のスロットへと上向きに押し込まれ、それによりクリップ２０、５０は、上部クロス棒材１３の長手方向顎部９０と係合するタブ３０、６０により保持されることとなるであろう。各クリップ２０、５０の各下向きに延長するアーム部２２、２３、５２、５３の外側縁部は、２つの長手方向に延長するフック要素４０、７０を担持するよう設計されている。フック要素４０、７０は、クリップ装置２０、５０の離間した位置におけるアーム部２２、２３、５２、５３の両端部に位置され、互いに対向し合うフック４０、７０を有する。フック要素４０、７０は下地溝型材１４から延長する外向きに向かい合わせの長手方向顎部１９と接続する。クリップ２０、５０も切り抜き区域４２、７２を含む。これらの切り抜き区域４２、７２は、下地溝型材１４がフック要素４０、７０に挿入され、それによりクリップ２０、５０により保持されることを可能にする。
【００４６】
図５は、以下で説明される図６および図７と同様に、下地溝型材１４と上部クロスレール１３との間に遮るもののない空隙を提供する。それにより本発明は、天井において面一に取り付けられるかまたは簡単に取り付けられる多数の現代の製品とともに利用されることが可能となる。
【００４７】
図６は隠し吊り天井システムにおけるクリップ５０の使用を示す。ここでは、スピーカ１１０およびスピーカグリル１１１が石膏ボードパネル１５において面一に取り付けられ、上部クロスレール１３と下地溝型材１４との間の空隙内に実質的に配置されている。クリップ５０の後方および上部クロスレール１３と下地溝型材１４との間の空隙内における、空調ダクト１００の容易なルーティングが、図６でも示されている。同様に、必要に応じて、空調ダクトは、クリップ５０の空隙５８を通して、またはクリップ５０の前方で、ルーティングされることが可能である。Ｙにより示される距離は、およそ２００ｍｍであり、図６で示されており、空隙と、本発明により提供される改善と、を明らかに特定する。単なる例として、クリップ５０、およびフランジ５２、５３は長さがおよそ２００ｍｍであり、これはスピーカ１１０を取り付けるための隙間を提供する。フランジ５２、５３の長さが５０ｍｍ〜５００ｍｍの範囲となり得ることが当業者により容易に理解されるであろう。したがって、上部クロスレール１３と下地溝型材１４との間に形成される空隙に対しての深さの範囲が提供され、空隙内に容易に取り付けられ得る構成要素の範囲が増大されることとなる。
【００４８】
図７では、本発明のさらなる使用状況が示されている。ここでは電球または埋め込み式の電灯１２１を有する照明器具１２０と、取り付けクリップ１２３と、が石膏ボードパネル１５に取り付けられ、上部クロスレール１３と下地溝型材１４との間の空隙内に配置されている、隠し吊り天井システムにおいてクリップ５０が使用されている。上部クロスレール１３と下地溝型材１４の底部との間の空隙に構成要素を取り付けるときには、多くの場合、電気配線導管１２２および空調ダクトならびに調風装置などの補助製品の空隙におけるルーティングまたは取り付けも必要となる。これらの補助製品は、図７で示されているようにクリップ５０の後方に取り付けられてもよく、またはクリップ５０内の空隙５８を通して、クリップ５０の前方に、ルーティングされてもよい。理解され得るように、多数の異なる製品は、隠し天井の石膏ボード１５上に取り付けられてもよく、または吊り天井の石膏ボード１５後方のプレナムから懸下されてもよい。例えば、空調プレナムボックスおよびクッションボックスが、上部クロスレール１３と下地溝型材１４との間に形成された空隙に取り付けられ得る。これらのボックスは通常、空調システムにおいて空気を供給または戻すために使用され、天井空間内の空調調風装置の上方に設置される。
【００４９】
図８では本発明のさらなる使用状況が示されている。ここでは隠し吊り天井システムにおけるクリップ５０、１３０が、バルクヘッドまたは箱状区域１１５が必要とされる場合に使用されている。バルクヘッドという用語は、より低い天井のエリアの垂直表面と同じ高さになるまで天井から下方に延長する梁または他の垂直壁部におけるあらゆる箱状区域を指すために頻繁に使用される。通常、バルクヘッドは、空調用の配管、水、汚水用の配管、またはいくつかの他の構成要素を移動させることが不可能であるときに、使用される。この場合、吊り天井は、露出された構成要素の周りに構築されなければならない。バルクヘッドは、天井における異なる高さを示すための天井特徴物としても使用され得る。
【００５０】
単に例示として、図８で示されているように、２つのクリップ５０が天井の第１区域で利用され、第２クリップ１３０が吊り天井の第２区域で利用されている。第１区域は第１の高さに取り付けられた水平な石膏ボード１５を有し、第２区域は第２の高さに取り付けられた水平な石膏ボード１５を有する。２つの水平な石膏ボード１５は垂直な石膏ボード１５により接合され、それにより吊り天井が形成される。クリップ５０は約２００ｍｍの垂直長さを有し、クリップ１３０は約４００ｍｍの垂直長さを有する。２つのクリップ５０、１３０の高さにおける差異は、吊りバルクヘッド１１５の形成を可能にする。
【００５１】
上述のクリップ２０およびクリップ５０と同様に、クリップ１３０は、上部クロスレール１３とスナップ係合するよう設計されている。クリップ１３０はその構成が溝型材となっており、第１端部１３２から第２端部１３３まで延長する長手方向基部１３１と、基部１３１から下向きに延長する、１対の長手方向に延長するフランジ１３４と、を有する。フランジ１３４は基部１３１の近傍に初期中間区域を有する。この中間区域は基部１３１に対して略直角に延長し、１つまたは複数の突起物または外側に向けられたタブを収容する。フランジ１３４は、基部１３１の中心を通り端部１３２および１３３の両方に位置合わせされた垂直軸に対して約３０度の角度をなす。
【００５２】
クリップ２０、５０と同様に、突起物は中間区域におけるフランジ１３４からプレス成形され、それにより傾斜表面が形成される。クリップ１３０も、各フランジ１３４において、少なくとも１つの、好適には２つの、強化要素１３５を有する。クリップ１３０のフック端部においてさらなる強化を提供するために、プレートが、クリップ１３０のフランジ１３４の底部コーナーにおいて固定的に保持される。通常、プレートは各フランジ１３４のフック７０の近傍の底部縁部に沿った定位置に溶接される。さらにプレートはフランジ１３４間で異なる高さに挿入され得、各プレートの位置はフランジ１３４の長さに依存し、したがって、石膏ボード１５の裏面と、上部クロスレール１３の底部と、の間に要求される空隙のサイズに、依存する。
【００５３】
各フランジ１３４の外側下方縁部は、２つの長手方向に延長するフック要素７０を担持する。これらのフック要素７０は、クリップ装置１３０上の離間した位置におけるアーム部１３４の各端部に配置され、互いに対向し合うフック７０を有する。フック要素７０は下地溝型材１４から延長する外向きに向かい合わせの長手方向顎部１９と接続する。底部区域は、端部ポイントへと突出するフック７０と、下地溝型材１４を切り抜き区域へと挿入することが可能となるよう設計された切り抜き区域と、を含む。下地溝型材１４の向かい合わせの長手方向顎部１９を上向きに押し上げると、クリップ１３０のフック７０内に保持される。したがって、切り抜き区域の形状は下地溝型材１４の上部区域の形状と実質的に一致する。フランジ１３４の各アーム部は、上部クロスレール１３と、下地溝型材１４の底部（石膏ボード１５が下地溝型材１４の表面に固定される）と、の間の隙間を提供するようなサイズである。したがって、石膏ボード１５の裏面と、上部クロスレール１３の底部と、の間に空隙を提供することにより、スピーカ、照明器具、および空調設備の構成要素などの製品を容易に設置することが可能となる。
【００５４】
理解され得るように、クリップおよび吊り天井の構成要素は、任意の弾性変形可能な物質から製造され得る。弾性変形可能な物質とは、弾性変形するときにエネルギーを吸収し、負荷軽減の際にはエネルギーを放出する能力を有する物質である。応力が印加されたときには寸法の変化を物質に生じさせ、応力が解放されたときには実質的に同じ寸法に戻る任意の物質であり、アルミニウムまたはスチール製のシートメタルなどである。強度対密度比に対する高強度の特性のために普及しつつある別のシート製品は、高密度ポリエチレン（ＨＤＰＥ）またはポリエチレン高密度（ＰＥＨＤ）である。これは、石油から作られたポリエチレン熱可塑性物質である。本発明の製造は、ＨＤＰＥから、または、弾性変形が可能である他のプラスチック材料からも可能である。
【００５５】
上記の形状が使用されるものとして説明されてきたが、他の形状およびサイズも、本発明から逸脱することなく使用可能であることを理解すべきである。クリップ２０、５０、１３０のサイズは、フランジが５０ｍｍ〜５００ｍｍの高さを有するような、範囲となり得る。
【００５６】
同様に、わずかな応用について説明してきたが、本発明はこれらの応用のみに限定されるわけではない。例えば、本発明は、湾曲もしくは傾斜した天井または任意の片持ち天井を作成するためにも使用され得る。
【００５７】
照明器具、空調モジュール、およびスピーカなどの面一に取り付けられるかまたは天井に取り付けられる構成要素のための空隙を提供するものとして本発明について説明してきたが、多数の異なる構成要素が、面一に取り付けられるかまたは天井内に取り付けられ得、正確に取り付けられることが可能となるためには、石膏ボードの背後に空隙が必要となることを理解すべきである。したがって、本発明は本明細書に記載のこれらの製品のみに限定されるべきではない。
【００５８】
懸下ハンガー、上部クロスレール、下地溝型材、およびクリップの位置および個数は、必要とされる特定的な隠し吊り天井に依存し、通常は設計段階の間に天井荷重が決定されるときに決定されるであろう。
【００５９】
上述の吊り天井については建築物の内部に構築された内部天井に関して説明してきたが、吊り天井が建築物の外部に嵌合され得ることも理解すべきである。屋外日除けの下の吊り天井がその例として挙げられる。
【００６０】
特長
本発明は、上部クロス溝型材と石膏ボードの後方側面との間の間隙の利点を提供する。この間隙は、製品が吊り石膏ボード天井に容易に且つ確実に取り付けられることを可能にする。これらの直接固定システムが審美的により快適となるためには、係るシステムは、石膏ボードを懸下するための特殊な支持グリッドを必要とする。石膏ボードが下地溝型材に直接的に固定されているために、仕上げられた石膏ボード表面と上部クロスレールとの間の距離は、下地溝型材を上部クロスレールに保持する固定キーにより決定される。広い側面フランジを有する固定キーまたはクリップを提供することは、埋め込み式照明器具または同様の構成要素を天井に容易に取り付けるための多機能性を提供する。
【００６１】
石膏ボードを直接固定するために必要とされる下地溝型材および上部クロスレールの数を考慮すると、照明器具、スピーカ、空調ダクト、および通気孔などの製品が配置され得る場所がある程度限定されることとなり得る。これらの製品は通常、石膏ボードの外側表面上で面一に取り付けられ、これらの製品のサイズの大部分は、石膏ボードと、吊り天井のフレームを形成する溝型材のグリッドワークと、の間に形成される天井空隙内に配置される。したがって、空隙内で十分な隙間を有するクリップを提供することは、大部分の製品を天井に取り付けることを可能にする。同様に、これらの製品は通常、何らかの形態のクリップ保持器を使用して取り付けられる。クリップ保持器は、製品が配置される石膏ボードの反対側面上に取り付けられる必要がある。したがって、吊り天井の溝型材のグリッドワーク内にこれらの取り付け装置に対して十分な隙間が必要である。本発明はその隙間と、係る製品を吊り天井に容易に取り付ける能力と、を提供する。
【００６２】
変化例
上記の記載が単に具体例として与えられたものであること、および当業者に明らかになるであろう全ての他の変更形態および変形形態が、本明細書で記載の本発明の広範な範囲および領域に含まれること、が理解されるであろう。
【００６３】
本明細書では、第１および第２、左および右、上部および底部、その他の形容詞は、任意の実際の係る関係または順序を必ずしも要求または含意することなく、１つの要素または動作を他の要素または動作から単に区別するために使用され得る。文脈が許す限り、１つの整数、または構成要素、またはステップ（またはその他）に対する参照は、１つのみの当該の整数、構成要素、またはステップに限定されるものと解釈されるべきではなく、むしろ１つまたは複数の当該の整数、構成要素、またはステップ、その他であり得る。
【００６４】
本明細書では、「〜を含む（ｃｏｍｐｒｉｓｉｎｇ）」という用語は、「〜を包含する（ｉｎｃｌｕｄｉｎｇ）」という用語と同様に広範な意味を有するものと理解されるべきであり、他のいかなる整数またはステップまたは整数もしくはステップの群の除外ではなく、記載された整数、またはステップ、または整数もしくはステップの群を含むこと、を含意するものと理解されるであろう。この定義は、「〜を含む（ｃｏｍｐｒｉｓｉｎｇ）」という用語の変化例（例えば「〜を含む」（「ｃｏｍｐｒｉｓｅ」および「ｃｏｍｐｒｉｓｅｓ」））にも適用される。
【図１】
2017520693.tif 000003
【図２】
2017520693.tif 000004
【図３】
2017520693.tif 000005
【図４】
2017520693.tif 000006
【図５】
2017520693.tif 000007
【図６】
2017520693.tif 000008
【図７】
2017520693.tif 000009
【図８】
2017520693.tif 000010
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
下地溝型材を上部クロスレールに取り付けるための吊り天井クリップであって、
長手方向に延長する基部と、
前記基部から下方に延長する１対のフランジであって、前記１対のフランジの間に前記基部が配置されている、フランジと、
前記下地溝型材に解放可能に接続するよう適合された、各フランジ上の１対のフックと、
各フランジにおける少なくとも１つの突起物であって、各突起物は、前記クリップを前記上部クロスレールの長手方向スロット内に固定するために前記上部クロスレール上の表面と係合する、突起物と、
を含み、
前記１対のフランジは、前記上部クロスレールと前記下地溝型材とを離間させ、それにより前記上部クロスレールと前記下地溝型材との間に空隙を提供するために、前記基部から所定距離だけ延長し、前記前記上部クロスレールと前記下地溝型材との間に形成された空隙は、面一に取り付けられた建築業者用天井ボードおよび前記空隙内の構成品を面一に取り付けまたは取り付けることを可能にする大きさである、
クリップ。
【請求項２】
各フランジ上の前記１対のフックは、前記下地溝型材から延長する、外向きに向かい合わせの長手方向顎部に解放可能に接続するよう適合されている、請求項１に記載のクリップ。
【請求項３】
前記１対のフランジは、前記基部から下向きに延長する、略平行で、同一の広がりを有するフランジである、請求項１または請求項２に記載のクリップ。
【請求項４】
前記クリップの前記基部から前記フックまでの前記所定距離は５０〜５００ｍｍの範囲内である、請求項１〜請求項３のうちのいずれか１項に記載のクリップ。
【請求項５】
前記１対のフランジは前記基部により構成される溝型材区域から下方に延長し、前記溝型材区域から離れるよう分岐し、２つの側面区域が前記基部の両方の側面から延長する、請求項１または請求項２に記載のクリップ。
【請求項６】
前記１対のフランジは下方に延長し、前記基部の中心を通る垂直軸の両側で等しい角度が形成されるように互いから離れるよう分岐する、請求項５に記載のクリップ。
【請求項７】
前記等しい角度は、前記基部の前記中心を通る前記垂直軸の両側でおよそ３０度である、請求項６に記載のクリップ。
【請求項８】
前記フックを離間させ、前記クリップの前記フック端部において前記クリップを強化するために、少なくとも１つのプレートが前記フックの近傍の位置において挿入される、請求項５〜請求項７のうちのいずれか１項に記載のクリップ。
【請求項９】
前記少なくとも１つのプレートは、各フックが定位置において支持され堅固に保持されるよう、前記クリップの各コーナーにおいて固定的に接続される、請求項５〜請求項８のうちのいずれか１項に記載のクリップ。
【請求項１０】
前記クリップの前記基部から前記フックまでの前記所定距離は５０〜５００ｍｍの範囲内である、請求項５〜請求項９のうちのいずれか１項に記載のクリップ。
【請求項１１】
前記少なくとも１つの突起物は、前記クリップの前記基部の近傍の位置において前記フランジからプレス成形される、請求項１に記載のクリップ。
【請求項１２】
２つの突起物が、各フランジにおいて、前記クリップの前記基部における位置または前記基部の近傍でプレス成形される、請求項１１に記載のクリップ。
【請求項１３】
前記プレス成形された突起物は、各それぞれのフランジから横方向外側に延長する傾斜表面を形成する、請求項１１または請求項１２に記載のクリップ。
【請求項１４】
前記上部クロスレールは、１対の略平行で同一の広がりを有するフランジを有する、長手方向に延長する基部を含み、前記フランジは、前記基部から下方に延長し、内向きに向かい合わせの長手方向顎部により縁取られた前記長手方向スロットを各同一の広がりを有するフランジ上に形成する、請求項１に記載のクリップ。
【請求項１５】
前記クリップのフランジを弾性変形させることにより、前記クリップの突出物および前記傾斜区域は、前記上部クロスレールから延長する内向きに向かい合わせの長手方向顎部にスナップ嵌合することと、前記上部クロスレールから前記クリップが外れることを防止することと、が可能になる、請求項１４に記載のクリップ。
【請求項１６】
前記クリップは、前記クリップのフランジが弾性変形されたときに前記上部クロスレールに沿って自由に摺動し、それにより前記クリップが前記上部クロスレール内で調節可能となるよう設計されている、請求項１４または請求項１５に記載のクリップ。
【請求項１７】
前記クリップのフランジの間に固定的に保持されている少なくとも１つの強化要素をさらに含む。請求項１〜１６のいずれか１項に記載のクリップ。
【請求項１８】
前記少なくとも１つの強化要素が、前記クリップの１端であり、かつ前記１対のフランジの間に固定的に保持されている第１の強化要素と、前記クリップの他方の端部であり、かつ前記１対のフランジの間に固定的に保持されている第２の強化要素とを含む、請求項１７に記載のクリップ。
【請求項１９】
弾性変形可能な物質から製造された、請求項１〜請求項１８のうちのいずれか１項に記載のクリップ。
【請求項２０】
前記弾性変形可能な物質は、アルミニウムもしくは鉄鋼または高密度プラスチック材料から作られたシートメタルのうちのいずれか１つである、請求項１９に記載のクリップ。
【請求項２１】
面一に取り付けられる建築業者用天井ボードは前記下地溝型材の前記底部に固定される、請求項１〜請求項２０のうちのいずれか１項に記載のクリップ。
【請求項２２】
前記上部クロスレールの上部区域を収容および固定するための顎部を有するハンガー組立体であって、上部クロスレールを、吊り天井の上方に配置された建築物の構造部品から、選択されたレベルにおいて懸下するための調節可能な固定部を有するハンガー組立体をさらに含む、請求項１〜２１のいずれか１項に記載のクリップを含む吊り天井システム。
【請求項２３】
前記調節可能な固定部が、アパーチャが設けられた弓形の板バネにより近位端部において摩擦により一緒に接合される１対の延長可能な棒状体を含む、請求項２２に記載の吊り天井システム。
【請求項２４】
ハンガー組立体から懸下された複数の上部クロスレールのグリッド構造を含む吊り天井において使用するためのクリップであって、面一に取り付けられた建築業者用天井ボードが、複数の平行に取り付けられた下地溝型材に固定され、前記平行に取り付けられた下地溝型材は、前記上部クロスレールの下方で延長し、前記上部クロスレールと交差し、前記クリップは、
長手方向に延長する基部と、
前記基部から下方に延長する１対のフランジであって、前記１対のフランジの間に前記基部が配置されている、フランジと、
前記平行に取り付けられた下地溝型材に解放可能に接続するよう適合された、各フランジ上の１対のフックと、
各フランジにおける少なくとも１つの突起物であって、各突起物は、前記上部クロスレール上の表面と係合する、突起物と、
を含み、
前記１対のフランジは、前記クリップが前記上部クロスレール内に挿入されることが可能となるよう、弾性変形し、各フランジは、前記上部クロスレールと前記平行に取り付けられた下地溝型材とを離間させ、それにより前記上部クロスレールと前記下地溝型材との間に空隙が提供されるよう、所定距離だけ前記基部から延長し、前記上部クロスレールと前記下地溝型材との間に形成された空隙は、面一に取り付けられた建築業者用天井ボードおよび前記空隙内の構成品を面一に取り付けまたは取り付けることを可能にする大きさである、
クリップ。
【請求項２５】
建築物の部屋内で懸下するための天井建造物または外部天井であって、前記部屋内で組み立てられたときに、
複数の平行な離間された上部クロスレールと、
前記建築物の構造部品に固定され、且つ、各上部クロスレールと接続された、長さが調節可能な複数のハンガー組立体であって、各上部クロスレールは、前記上部クロスレールのうちの他の上部クロスレールと共通の平面において選択された同じ高さで懸下する、ハンガー組立体と、
面一に取り付けられた建築業者用天井ボードが固定されている、複数の平行に取り付けられた下地溝型材であって、前記上部クロスレールの下方で延長し、前記上部クロスレールと交差する、平行に取り付けられた下地溝型材と、
前記上部クロスレールを前記平行に取り付けられた下地溝型材に接合するための、請求項１〜請求項２１のうちいずれか１項に記載のクリップと、
を含む、天井建造物または外部天井。
【請求項２６】
請求項１〜請求項２１のうちのいずれか１項に記載のクリップを使用して吊り天井を構築する方法であって、
少なくとも１つのハンガーを建築物の構造部品から固定するステップと、
少なくとも１つの上部クロスレールを前記少なくとも１つのハンガーに取り付けるステップと、
少なくとも１つのクリップを前記上部クロスレールの長手方向スロットの内部に挿入するステップと、
少なくとも１つの平行に取り付けられた下地溝型材を、前記上部クロスレールの下方に、および、前記クリップ上のフックに取り付けられた状態で、配置するステップと、
前記平行に取り付けられた下地溝型材に建築業者用天井ボードを固定するステップと
を含む、方法。
【請求項２７】
建築物の部屋内の吊り天井または外部天井であって、前記部屋内で組み立てられたときに、
複数の平行な離間された上部クロスレールと、
前記建築物の構造部品に固定され、且つ、各上部クロスレールと接続された、長さが調節可能な複数のハンガー組立体であって、各上部クロスレールは、前記上部クロスレールのうちの他の上部クロスレールと共通の平面において選択された同じ高さで懸下する、ハンガー組立体と、
前記平行に取り付けられた下地溝型材の第１群が第１所定距離だけ前記上部クロスレールから離間し、それにより前記平行に取り付けられた下地溝型材の前記第１群と前記上部クロスレールとの間に空隙が提供されるよう、前記上部クロスレールを前記平行に取り付けられた下地溝型材の前記第１群に接合するための、請求項１〜請求項２１のうちいずれか１項に記載の第１クリップと、
前記平行に取り付けられた下地溝型材の第２群が第２所定距離だけ前記上部クロスレールから離間し、それにより前記平行に取り付けられた下地溝型材の前記第２群と前記上部クロスレールとの間に空隙が提供されるよう、前記上部クロスレールを前記平行に取り付けられた下地溝型材の前記第２群に接合するための、請求項１〜請求項２１のうちいずれか１項に記載の第２クリップと、
前記下地溝型材の第１群に固定された第１の面一に取り付けられた建築業者用天井ボードと、
前記下地溝型材の第２群に固定された第２の面一に取り付けられた建築業者用天井ボードと、
を含み、
前記第２所定距離は、前記第１所定距離よりも大きく、それにより前記天井において２つの異なる高さが形成される、
吊り天井または外部天井。
【請求項２８】
前記第１天井ボードと前記第２天井ボードとの間の前記間隙を閉じるために、垂直に取り付けられた第３の面一に取り付けられた建築業者用天井ボードをさらに含む、請求項２７に記載の吊り天井。
【請求項２９】
前記第１クリップおよび前記第２クリップは、前記吊り天井においてバルクヘッドを設計するために使用される、請求項２７または請求項２８に記載の吊り天井。
【手続補正２】
【補正対象書類名】明細書
【補正対象項目名】全文
【補正方法】変更
【補正の内容】
【発明の詳細な説明】
【技術分野】
【０００１】
本発明は、概して、頭上構造物から懸下された溝型材のグリッドワークを支持するよう適合された種類の天井懸下ユニットに関する。特に、本発明は、吊り天井クリップと、キー固定隠しグリッド吊り天井システムにおいて溝型材のグリッドワークを支持するために係るクリップを使用する方法と、に関する。
【背景技術】
【０００２】
本明細書における先行技術に対する参照は、係る先行技術が当該技術分野における一般的な一般的知識を構成するものであるとの承認として解釈されるべきではないことに留意されたい。
【０００３】
ドロップ天井または屋根型天井とも呼ばれることもある吊り天井は周知であり、様々な設計オプションが利用可能である。吊り天井は通常、プレナムに取り付けられたワイヤまたは棒状体からつり下げられた、支持部材の懸下されたグリッドと、係るグリッドに固定されたパネルまたは厚板と、を含む。これらの天井が普及しているのは、少なくとも部分的には、係るシステムの設置が簡単且つ容易である点と関連付けられた、視覚的および音響的な利益によるものである。
【０００４】
吊り天井の最も一般的な形態は軽量パネルを含む。この軽量パネルは、多くの場合は形状が正方形または長方形であり、追加的な締結機構を用いることなく支持用Ｔグリッド（Ｔ−ｇｒｉｄ）へと落下する。この種のドロップ天井は、空調設備、配線、配管、その他にアクセスするために、天井の上方のプレナム空間に対する容易なアクセスを提供する。しかし、多くの顧客（住居および商用の両方）は、この種の天井を魅力に欠けるものと見る。
【０００５】
したがって、面一の建築用板材の天井仕上げを含む、より審美的に快適な吊り天井に対する需要が高まりつつある。これらのシステムは通常、より快適な面一仕上げを提供するために、支持するＴグリッドを取り除き、石膏ボードを溝型材のグリッドワークおよび頭上の構造物に対して直接固定する。これらシステムでは、下地溝型材のグリッドおよび上部クロスレールを支持構造の下方に懸下するためにクリップおよびハンガーが使用され、次に、下地溝型材が適切な板材内張で包まれ得る。これにより、設計者が天井のレベルを要求された高さにまで降下させ、空調などのサービスを行うためのスペースを天井の空隙に提供することが可能となる。
【発明の概要】
【発明が解決しようとする課題】
【０００６】
これらの直接固定システムは審美的にはより快適であるが、現在の設置に関する困難は、より一般的な落下式のパネルと関連付けられていない。この種のシステムは通常、石膏ボードを懸下するため、特別な支持グリッドを必要とする。特別な支持グリッドは、溝型材のグリッドワークを含む。係るグリッドワークのために、天井システムは、より高価なもの、および／またはより複雑なものとなり得る。石膏ボードが下地溝型材に直接的に固定されているために、仕上げられた石膏ボード表面と上部クロスレールとの間の距離は、下地溝型材を上部クロスレールに保持する固定キーにより決定される。天井システム内にまたは天井システム上に製品を取り付けるときには、この最小距離が考慮されなければならない。例えば、埋め込み式の照明または同様の構成要素を天井に取り付けるときに、上部クロスレールと下地溝型材との間の隙間が問題となり得る。
【０００７】
石膏ボードを直接固定するために必要とされる下地溝型材および上部クロスレールの数を考慮すれば、照明器具、スピーカ、空調ダクト、および通気孔などの製品が配置され得る場所がある程度限定されることとなり得る。これらの製品は通常、石膏ボードの外側表面上で面一に取り付けられ、これらの製品のサイズの大部分は、石膏ボードと、吊り天井のフレームを形成する溝型材のグリッドワークと、の間に形成される天井空隙内に配置される。したがって、これらの製品のために十分な隙間が空隙内に必要となる。同様に、これらの製品は通常、何らかの形態のクリップ保持器を使用して取り付けられる。クリップ保持器は、製品が配置される石膏ボードの反対側面上に取り付けられる必要がある。したがって、吊り天井の溝型材のグリッドワーク内にこれらの取り付け装置に対して十分な隙間が必要である。
【０００８】
係る取り付け装置の設置が時間を要し、天井の大きい広がりにわたって間隔の精度を維持することが困難であるという点でも、多くの難題が存在する。上方のプレナムに対する容易なアクセスを提供する支持システム設計は通常、支持システムが下方から見え過ぎるという乱雑化された外観を犠牲にして達成される。他の問題は、埋め込み蛍光灯固定具に平行して通過する支持体がしばしば、固定具に取り付けられる空気供給ブーツより提供される室内供給空気の流れとの干渉を最小化させるために、障害物がない状態に保たれなければならないエリアに侵入する、という点である。
【０００９】
上述の欠点のうちのいくつかを少なくとも改善することを支援する吊り天井用の固定キーが考案されたならば、明らかに有利となるであろう。特に、上部クロス溝型材と下地溝型材との間に隙間を提供する能力、または有用な代替物を少なくとも提供する能力、を有する固定キーが考案されたならば、有利となるであろう。
【課題を解決するための手段】
【００１０】
本発明の第１の態様によれば、本発明は上部クロスレールに下地溝型材を取り付けるための吊り天井クリップを提供する。この吊り天井クリップは、長手方向に延長する基部と、基部から下方に延長する１対のフランジであって、１対のフランジの間に基部が配置されている、フランジと、下地溝型材に解放可能に接続するよう適合された、各フランジ上の１対のフックと、各フランジにおける少なくとも１つの突起物であって、各突起物は、クリップを上部クロスレールの長手方向スロット内に固定するために上部クロスレール上の表面と係合する、突起物と、を含み、１対のフランジは、上部クロスレールと下地溝型材とを離間させ、それにより上部クロスレールと下地溝型材との間に空隙を提供するために、前記基部から所定距離だけ延長し、上部クロスレールと下地溝型材との間に形成された空隙は、面一に取り付けられた建築業者用天井ボードおよび空隙内の構成品を面一に取り付けまたは取り付けることを可能にする大きさである。
【００１１】
好適には、各フランジ上の１対のフックは、下地溝型材から延長する、外向きに向かい合わせの長手方向顎部に解放可能に接続するよう適合され得る。この１対のフランジは、基部から下向きに延長する、略平行で、同一の広がりを有するフランジであり得る。
【００１２】
好適には、クリップの基部からフックまでの所定距離は５０〜５００ｍｍの範囲内であり得る。
【００１３】
代替的に、１対のフランジは基部により形成される溝型材区域から下方に延長し、溝型材区域から離れるよう分岐し、２つの側面区域が基部の両方の側面から延長し得る。１対のフランジは下方に延長し、基部の中心を通る垂直軸の両側で等しい角度が形成されるように互いから離れるよう分岐し得る。好適には、等しい角度は、基部の中心を通る垂直軸の両側でおよそ３０度であり得る。好適には、フックを離間させ、クリップのフック端部においてクリップを強化するために、少なくとも１つのプレートがフックの近傍の位置において挿入され得る。少なくとも１つのプレートは、各フックが定位置において支持され堅固に保持されるよう、クリップの各コーナーにおいて固定的に接続され得る。好適には、クリップの基部からフックまでの所定距離は５０〜５００ｍｍの範囲内であり得る。
【００１４】
好適には、少なくとも１つの突起物は、クリップの基部の近傍の位置においてフランジからプレス成形され得る。代替的に、２つの突起物が、各フランジにおいて、クリップの基部における位置または基部の近傍でプレス成形され得る。プレス成形された突起物は、各それぞれのフランジから横方向外側に延長する傾斜表面を形成し得る。
【００１５】
好適には、上部クロスレールは、１対の略平行で同一の広がりを有するフランジを有する、長手方向に延長する基部を含み、フランジは、基部から下方に延長し、内向きに向かい合わせの長手方向顎部により縁取られた長手方向スロットを各同一の広がりを有するフランジ上に形成し得る。クリップのフランジを弾性変形させることにより、クリップの突起物および傾斜区域は、上部クロスレールから延長する内向きに向かい合わせの長手方向顎部にスナップ嵌合することと、上部クロスレールからクリップが外れることを防止することと、が可能である。
【００１６】
好適には、クリップは、クリップのフランジが弾性変形されたときにクロスレールに沿って自由に摺動し、それによりクリップが上部クロスレール内で調節可能となるよう設計され得る。
【００１７】
好適には、クリップは、クリップのフランジの間に固定的に保持されている少なくとも１つの強化要素をさらに含み得る。少なくとも１つの強化要素は、クリップの１端であり、かつ１対のフランジの間に固定的に保持されている第１の強化要素と、クリップの他方の端部であり、かつ１対のフランジの間に固定的に保持されている第２の強化要素とを含み得る。
【００１８】
好適には、クリップは弾性変形可能な物質から製造され得る。弾性変形可能な物質は、アルミニウムもしくは鉄鋼または高密度プラスチック材料から作られたシートメタルのうちのいずれか１つであり得る。
【００１９】
好適には、面一に取り付けられる建築業者用天井ボードは下地溝型材の底部に固定され得る。
【００２０】
さらなる態様によると、本発明は、以前の態様に定義されるクリップを含み、上部クロスレールの上部区域を収容および固定するための顎部を有するハンガー組立体であって、上部クロスレールを、吊り天井の上方に配置された建築物の構造部品から、選択されたレベルにおいて懸下するための調節可能な固定部を有するハンガー組立体をさらに含む、吊り天井システムを提供する。調節可能な固定部は、アパーチャが設けられた弓形の板バネにより近位端部において摩擦により一緒に接合される１対の延長可能な棒状体を含み得る。
【００２１】
さらなる態様によれば、本発明は、ハンガー組立体から懸下された複数の上部クロスレールのグリッド構造を含む吊り天井において使用するためのクリップであって、面一に取り付けられた建築業者用天井ボードが、複数の平行に取り付けられた下地溝型材に固定され、平行に取り付けられた下地溝型材は、上部クロスレールの下方で延長し、上部クロスレールと交差する、クリップを提供する。このクリップは、長手方向に延長する基部と、基部から下方に延長する１対のフランジであって、１対のフランジの間に基部が配置されている、フランジと、平行に取り付けられた下地溝型材に解放可能に接続するよう適合された、各フランジ上の１対のフックと、各フランジにおける少なくとも１つの突起物であって、各突起物は、上部クロスレール上の表面と係合する、突起物と、を含み、１対のフランジは、クリップが上部クロスレール内に挿入されることが可能となるよう、弾性変形し、各フランジは、上部クロスレールと平行に取り付けられた下地溝型材とを離間させ、それにより上部クロスレールと下地溝型材との間に空隙が提供されるよう、所定距離だけ基部から延長し、上部クロスレールと下地溝型材との間に形成された空隙は、面一に取り付けられた建築業者用天井ボードおよび空隙内の構成要素を面一に取り付けまたは取り付けることを可能にする大きさである
【００２２】
さらなる態様によれば、本発明は、建築物の部屋内で懸下するための天井建造物または外部天井であって、前記部屋内で組み立てられたときに、複数の平行に離間された上部クロスレールと、建築物の構造部品に固定され、且つ、各上部クロスレールと接続された、長さが調節可能な複数のハンガー組立体であって、各上部クロスレールは、上部クロスレールのうちの他の上部クロスレールと共通の平面において選択された同じ高さで懸下する、ハンガー組立体と、面一に取り付けられた建築業者用天井ボードが固定されている、複数の平行に取り付けられた下地溝型材であって、上部クロスレールの下方で延長し、上部クロスレールと交差する、下地溝型材と、上部クロスレールを平行に取り付けられた下地溝型材に接合するための、第１の態様に関連する特徴を有するクリップと、を含む、天井建造物または外部天井を提供する。
【００２３】
さらなる態様によれば、本発明は、第１の態様の特徴を有するクリップを使用して、吊り天井を構築する方法を提供する。この方法は、少なくとも１つのハンガーを建築物の構造部品から固定するステップと、少なくとも１つの上部クロスレールを少なくとも１つのハンガーに取り付けるステップと、少なくとも１つのクリップを上部クロスレールの長手方向スロットの内部に挿入するステップと、少なくとも１つの平行に取り付けられた下地溝型材を、上部クロスレールの下方に、および、クリップ上のフックに取り付けられた状態で、配置するステップと、平行に取り付けられた下地溝型材に建築業者用天井ボードを固定するステップとを含む。
【００２４】
さらなる態様によれば、本発明は、建築物の部屋内の吊り天井または外部天井を提供する。この吊り天井または外部天井は、部屋内で組み立てられたときに、複数の平行な離間された上部クロスレールと、建築物の構造部品に固定され、且つ、各上部クロスレールと接続された、長さが調節可能な複数のハンガー組立体であって、各上部クロスレールは、上部クロスレールのうちの他の上部クロスレールと共通の平面において選択された同じ高さで懸下する、ハンガー組立体と、平行に取り付けられた下地溝型材の第１群が第１所定距離だけ上部クロスレールから離間し、それにより平行に取り付けられた下地溝型材の第１群と上部クロスレールとの間に空隙が提供されるよう、上部クロスレールを平行に取り付けられた下地溝型材の第１群に接合するための、第１の態様に記載の第１クリップと、平行に取り付けられた下地溝型材の第２群が第２所定距離だけ上部クロスレールから離間し、それにより平行に取り付けられた下地溝型材の第２群と上部クロスレールとの間に空隙が提供されるよう、上部クロスレールを平行に取り付けられた下地溝型材の第２群に接合するための、第１の態様に記載の第２クリップと、下地溝型材の第１群に固定された第１の面一に取り付けられた建築業者用天井ボードと、下地溝型材の第２群に固定された第２の面一に取り付けられた建築業者用天井ボードと、を含み、第２所定距離は第１所定距離よりも大きく、それにより天井において２つの異なる高さが形成される。
【００２５】
好適には、吊り天井は、第１天井ボードと第２天井ボードとの間の間隙を閉じるために、垂直に取り付けられた第３の面一に取り付けられた建築業者用天井ボードをさらに含み得る。第１クリップおよび第２クリップは、吊り天井においてバルクヘッドを設計するために使用され得る。
【００２６】
本発明は、以下で与えられる詳細な説明から、および、本発明の好適な実施形態の添付の図面から、より詳細に理解されるであろう。しかし、係る詳細な説明および添付の図面は、本発明を限定するものであると解釈してはならず、単に説明および理解のためのものにすぎない。
【図面の簡単な説明】
【００２７】
【図１】構築された隠し吊り天井の一部の破断透視図である。
【図２】本発明の第１の実施形態に係る、下地溝型材を上部クロス溝型材に固定するために使用される固定用クリップの斜視図である。
【図３】本発明の第２の実施形態に係る、下地溝型材を上部クロス溝型材に固定するために使用される固定用クリップの斜視図である。
【図４】図３の固定用クリップの一方の端部を示す図である。
【図５】使用時の図２および図３の固定用クリップを示す、構築された吊り天井の一部の破断透視図である。
【図６】図３の固定用クリップを使用して天井に取り付けられた空調ダクトおよびスピーカを示す、吊り天井の側面図である。
【図７】図３の固定用クリップを使用して天井に取り付けられた空調ダクトおよび照明器具を示す、吊り天井の側面図である。
【図８】天井のバルクヘッド設計に対する本発明の一実施形態に係る固定用クリップの使用を示す吊り天井の側面図である。
【発明を実施するための形態】
【００２８】
単に例示として与えられた以下の記載は、好適な実施形態（単数または複数）の発明主題に関するより正確な理解を提供するために説明されるものである。
【００２９】
図１は通常の隠し吊り天井１０を示す。ここでは、面一に取り付けられた建築業者用天井ボード（例えば、定位置に固定された石膏ボード１５など）が示されている。図１では、完全な構造物１０は、屋根上の、または、より高いレベルの部屋の床梁上の、固定点（図示せず）から懸下ハンガー１２により懸下されている。懸下ハンガー１２は、分岐するフリーアーム部を有する「Ｕ」字形状のバネクリップを含む。バネクリップはその基部が垂直プレートにリベット締めされ、それによりハンガー１２の本体が形成される。アーム部の端部の付近に穴が提供されている。天井懸下棒状体１１が前記穴を通り、それによりハンガー１２は、バネのアーム部が前記棒状体１１に対して突き当たる作用により、前記棒状体１１に固定される。アーム部が互いに向かって移動されると、棒状体１１が解放され、それにより前記棒状体１１に対して上方または下方にハンガー１２を摺動させることが可能となる。
【００３０】
ハンガー本体プレートの下方端部にはスロットが設けられている。それにより、ハンガー１２を上部クロスレール１３に取り付けるための内側に向けられたフックが形成される。任意の所望の形状のクロスレールまたは棒材１３は好適な拡張した寸法の長手方向基部を有し、係る基部は、ハンガー１２により、その対向する端部フック間で、保持される。完全な天井懸下システム１０では、いくつかの、または多数の平行な上部クロスレールまたは棒材１３が離間されたハンガー組立体１２により懸下され、それにより、そこから石膏ボードパネル１５が支持されることになる基盤が形成される。
【００３１】
内向きの長手方向顎部９０により縁取られた長手方向スロットを上部クロスレール１３に提供することが一般に行われている（図５参照）。石膏ボードパネル１５を支持するための好適な形態の下地溝型材１４が、個々のクリップ装置１７により、上部クロスレール１３に対して直角に支持される。石膏ボード１５は好適な締結具１６により下地溝型材１４に取り付けられる。各クリップ装置１７は、平坦基部と、略平行なアーム部と、を有する、略Ｕ字形状に折り畳まれたシートメタルのプレートとして形成される。中間位置において、２つのアーム部は外側に向けられたタブ３０およびタブ６０を有する。各アーム部の外側縁部は、２つの長手方向に延長するフック要素１８を担持する。これらのフック要素１８は、クリップ装置１７上の離間した位置におけるアーム部の各端部に配置され、互いに対向し合うフック１８を有する。フック要素１８は、下地溝型材１４から延長する外向きに向かい合わせの長手方向顎部１９と接続する。組み立て中には、クリップ装置１７は、その基部部分が先行する状態でクロス棒材１３のスロットへと上向きに付勢される。その結果、クリップ１７は、そのアーム部におけるタブ３０およびタブ６０により、上部クロスレール１３の長手方向顎部９０間で、保持されることとなるであろう。
【００３２】
この組み立てから、それぞれの構成要素間の非常に堅固な接続がもたらされる。距離Ｘ（図１）は、石膏ボード１５の背面が上部クロスレール１３の底部から離れて位置する距離を表す。距離Ｘは下地溝型材１４の高さも表す。
【００３３】
図２および図３は本発明に係るクリップ２０およびクリップ５０の２つの実施形態を表す。図２では第１の実施形態が示されている。第１の実施形態では、クリップ２０は、上部クロスレール１３の長手方向スロット内にスナップ嵌合するよう設計されている。通常、上部クロスレール１３は、コンクリートスラブまたは木造構造物の下方表面に直接的に取り付けられるか、または上方のコンクリートスラブまたはフロア構造から棒状体１２または同様のハンガー部材１２により懸下される。上部クロスレール１３は長手方向上部と、１対の略平行で同一の広がりを持つフランジと、を有する。フランジは上部から略下方に突出し、長手方向に延長する空隙を提供する。この空隙へと、クリップ２０が突出する。フランジのそれぞれは、上向きに延長する内向きの長手方向部分９０を有する下方縁部に沿って終端する。長手方向部分９０は、クリップ２０のタブ３０に係合するよう適合されている。
【００３４】
クリップ２０はその構成が溝型材となっており、第１端部２５から第２端部２６まで延長する長手方向基部２１と、長手方向に延長するフランジ２２およびフランジ２３の対と、を有する。基部２１はフランジ２２とフランジ２３との間に配置される。なおフランジ２２およびフランジ２３は基部２１から下方に延長する。基部２１は内側（下方）表面および外側（上方）表面を有する。フランジ２２およびフランジ２３の各フランジには、１つまたは複数の突起物３０または外側に向けられたタブ３０が提供される。この実施形態では、突起物３０は、フランジ２２、２３からプレス成形され、それによりタブまたは傾斜表面３０が形成される。突起物３０は、フランジ２２、２３の外側に、クリップ２０の基部２１の近傍に配置される。クリップ２０は各フランジ２２、２３において少なくとも１つの、好適には２つの、強化要素２４も有する。強化要素２４は、シートメタルの打ち抜きまたはプレス成形により形成される。例えば、打ち抜き（またはプレス成形とも知られる）とは、ブランク形態またはコイル形態にある平坦なシートメタルを打ち抜きプレスに配置し、打ち抜きプレスにおいて工具およびダイ表面がメタルをネット形状に形成するプロセスである。この特定的なケースでは、打ち抜きまたはプレス成形が、クリップ２０の各側面における強化要素２４を形成するために、使用される。クリップのサイズがおよそ２００〜５００ｍｍの長さに広がる場合、強化要素の形成は特に重要である。要素２４により加えられる強度は、さらに屈曲の安定性をクリップ２０に対して提供する。
【００３５】
さらなる強化は、下向きに延長するフランジ２２とフランジ２３との間で固定的に保持されるプレート（図示せず）の形態で、クリップ２０に加えられ得る。クリップ２０の長さ（フランジ２２およびフランジ２３の長さ）に応じて、２つ以上のプレートが、クリップ２０のさらなる補強および強化のために、必要となり得る。通常、プレートが、クリップ２０のフック端部に向かうフランジ２２、２３の下方端部において溶接され得る。あるいは、クリップ２０は、フランジ２２、２３のいずれかの端との間で固定的に保持された強化要素からなる。
【００３６】
各クリップ装置２０は、平坦基部２１と、基部２１の両側面から延長する略平行なアーム部２２、２３と、を有するＵ字形状溝型材構成をほぼ形成するよう折り畳まれたシートメタルのプレートとして形成され得る。各アーム部２２、２３の外側下方縁部は、２つの長手方向に延長するフック要素４０を担持する。各フック要素４０は、クリップ装置２０上で離間された位置において各アーム部２２、２３の向かい合わせの端部に配置されている。ここで、各フック４０は互いに向かって内側に向けられている。フック要素４０は下地溝型材１４から延長する外向きに向かい合わせの長手方向顎部１９と接続する。端部ポイント４１へと突出するフック４０と、切り抜き区域４２と、を含む各アーム部２２、２３の底部区域は、下地溝型材１４を切り抜き区域４２に挿入することが可能となるよう設計されている。下地溝型材１４の向かい合わせの長手方向顎部１９は、クリップ２０のフック４０へと上向きに押し込まれ、フック４０内に保持される。したがって、切り抜き区域の形状は下地溝型材１４の形状と実質的に一致する。
【００３７】
基部２１から各アーム部またはフランジ２２、２３のフック４０の底部まで測定される長さは、クロスレール１３と、下地溝型材１４の底部（石膏ボード１５が下地溝型材１４の表面に固定される）と、の間の隙間を提供するようなサイズである。したがって、石膏ボード１５の裏面と、上部クロスレール１３の底部と、の間に空隙が提供される。空隙は、スピーカ、照明器具、および空調設備の構成要素などの製品が、石膏ボード１５内に、および石膏ボード１５を通して、面一に取り付けられることを可能にする。このことに関しては、以下の図６および図７でさらに説明するであろう。しかし、クリップ２０および５０の使用が構成要素を天井に面一に取り付けることのみに必ずしも限定されないこと、および吊り天井の分野における他の使用も本発明の範囲に含まれること、も理解されるべきである。通常、アーム部２２、２３のサイズは５０〜５００ｍｍの範囲であり、係る範囲は、本発明に対して、ほぼ同じ寸法の空隙を提供する。
【００３８】
使用時、クリップ２０の傾斜表面３０が上部クロスレール１３の長手方向に延長する顎部９０と係合し、係る顎部９０を越えて押されるよう、クリップ２０は上向き方向に挿入される。フランジ２２、２３および上部クロスレール１３の側面の弾性的な性質により、クリップ２０は、上向きに押されると、上部クロスレール１３内の長手方向スロット内に配置される。クリップ２０の突起物３０が長手方向に延長する顎部９０を越えて移動すると、クリップ２０は顎部９０間の上部クロスレール１３内のスロットにスナップ嵌合する。図５で最もよく見られるように、顎部９０は突起物３０の底部と係合し、突起物３０を顎部９０内に実質的に保持する。初期の上向き方向に対して逆の方向に動くことができないため、突起物３０はクリップ２０が上部クロスレール１３内から外れることを防止する。クリップ２０を上向き方向に押し、上部クロスレール１３の長手方向側面を変形させて、クリップ２０を解放することにより、上部クロスレール１３からクリップ２０を取り外すことが可能である。同様にフック４０が、下地溝型材１４から延長する外向きに向かい合わせの長手方向顎部１９と係合すると、下地溝型材１４は定位置に固定される。次に、これにより、石膏ボード１５が締結具１６により下地溝型材１４の底部区域に固定されることが可能となる。
【００３９】
図３では本発明のさらなる実施形態が示されている。この実施形態では、クリップ５０が上部クロスレール１３内にスナップ嵌合するよう設計されている。クリップ２０と同様に、クリップ５０はその構成が溝型材となっており、第１端部５５から第２端部５６まで延長する長手方向基部５４と、基部５４から下向きに延長する、１対の長手方向に延長するフランジ５２、５３と、を有する。この実施形態では、フランジ５２、５３は基部５４の近傍に初期中間区域を有する。この中間区域は基部５４に対して略直角に延長し、１つまたは複数の突起物６０または外側に向けられたタブ６０を収容する。中間エリアは、中間エリアおよび基部５４のエリア内に形成された開放エリア５７（図４においてより良好に示されている）を形成する。基部５４はフランジ５２とフランジ５３との間に配置される。このフランジ５２およびフランジ５３は中間区域から下向きおよび外向きに延長する。フランジ５２、５３は、基部５４の中心を通り端部５５および５６の両方に位置合わせされた垂直軸に対して約３０度の角度をなす。
【００４０】
この実施形態では突起物６０は中間区域におけるフランジ５２、５３からプレス成形され、それにより傾斜表面６０が形成される。クリップ５０も、各フランジ５２、５３において、少なくとも１つの、好適には２つの、強化要素５１を有する。クリップ５０のフック端部においてさらなる強化を提供するために、プレート８０が、クリップ５０のフランジ５２、５３の底部コーナー８１において固定的に保持される。クリップ２０に関連して上述したように、これらの要素５１は、フランジ５２、５３において打ち抜きまたはプレス成形され得る。通常、プレート８０は各フランジ５３、５３の底部縁部に沿った定位置に溶接される。さらにプレート８０はフランジ５２と５３との間で異なる高さに挿入され得、各プレート８０の位置はフランジ５２、５３の長さに、したがって、石膏ボード１５の裏面と、上部クロスレール１３の底部と、の間に要求される空隙のサイズに、依存する。
【００４１】
各クリップ装置５０は、平坦基部５４と、中間区域と、１対のフランジまたはアーム部５２、５３と、を有する溝型材の構成を形成する、略Ｕ字形状に折られたシートメタルのプレートとして形成され得る。１対のフランジまたはアーム部５２、５３は、下方に延長し、クリップ５０の基部５４を通り抜ける垂直軸から約３０度の角度で分岐する。
【００４２】
各アーム部５２、５３の外側下方縁部は、２つの長手方向に延長するフック要素７０を担持する。これらのフック要素７０は、クリップ装置５０上の離間した位置におけるアーム部５２、５３の各端部に配置され、互いに対向し合うフック７０を有する。フック要素７０は下地溝型材１４から延長する外向きに向かい合わせの長手方向顎部１９と接続する。底部区域は、端部ポイント７１へと突出するフック７０と、下地溝型材１４を切り抜き区域７２へと挿入することが可能となるよう設計された切り抜き区域７２と、を含む。下地溝型材１４の向かい合わせの長手方向顎部１９を上向きに押し上げると、クリップ５０のフック７０内に保持される。したがって切り抜き区域７２の形状は下地溝型材１４の上部区域の形状と実質的に一致する。フランジ５２、５３の各アーム部は、上部クロスレール１３と、下地溝型材１４の底部（石膏ボード１５が下地溝型材１４の表面に固定される）と、の間の隙間を提供するようなサイズである。したがって、以下の図６および図７で示されているように、石膏ボード１５の裏面と、上部クロスレール１３の底部と、の間に空隙を提供することにより、スピーカ、照明器具、および空調設備の構成要素などの製品を容易に設置することが可能となる。通常、アーム部５２、５３は５０〜５００ｍｍの範囲であり、係る範囲は、本発明に対して、ほぼ同じ寸法の空隙を提供する。
【００４３】
使用時、図４で示されているように、タブ６０の傾斜表面が上部クロスレール１３の法律９０と係合するよう、クリップ５０は上向きに挿入される。フランジ５２、５３およびクロスレール１３のフランジ９１が弾性的に変形することにより、クリップ５０はクロスレール１３のフランジ９１間に形成された長手方向スロット内に配置されることが提供される。クリップ５０および突起物６０が長手方向顎部９０を越えて動かされると、クリップ５０はフランジ９１間においてクロスレール１３とスナップ嵌合し、顎部９０は突起物６０の底部と係合し、突起物６０を顎部９０内において実質的に保持する。次に突起物６０が部分９０と係合すると、初期の上向き方向に対して逆方向の動きによりクリップ５０が上部クロスレール１３内から外れることは防止される。クリップ２０に関して上述したように、クリップ５０を上向き方向に押し、上部クロスレール１３の長手方向側面９１を変形させて、クリップ５０を解放することにより、上部クロスレール１３からクリップ５０を取り外すことが可能である。同様に、上部クロスレール１３内におけるクリップ２０の正確な位置決めを可能にするために、クリップ２０は、フランジ９１が弾性的に変形したときに、上部クロスレール１３に沿って自由に摺動するよう設計されている。したがってクリップ２０は上部クロスレール１３内で調節可能となっている。
【００４４】
下地溝型材１４から延長する外向きに向かい合わせの長手方向顎部１９とフック７０が係合すると、下地溝型材１４は定位置に固定される。次に、これにより、石膏ボード１５が締結具１６により下地溝型材１４の底部区域に固定されることが可能となる。プレート８０は、強化を提供し、クリップ５０のフック端部を、離間した状態に保持することを確保する。エリアまたは空隙５８が、分岐するフランジ５２、５３間に形成される。空隙５８は、空調ダクトまたは電気配線導管などの製品の、クリップ５０を通るルーティングが可能にする。
【００４５】
図５では、典型的な隠し吊り天井システムにおけるクリップ２０および５０の両方の使用が示されており、下地溝型材１４の下方における定位置に固定された面一に取り付けられた石膏ボード１５が図示されている。上述のように、完全な構造物は、屋根上の、または、より高いレベルの部屋の床梁（またはコンクリートフロア）上の、固定点（図示せず）から懸下ハンガー１２により懸下されている。ハンガー本体プレートの下方端部にはスロットが設けられている。それにより、ハンガー１２を上部クロスレール１３に取り付けるための内側に向けられたフックが形成される。上部クロスレール１３は、内向きの長手方向に延長する顎部９０により縁取られた長手方向スロットを有する。石膏ボードパネル１５を支持するための好適な形体の下地溝型材１４が、個々のクリップ装置２０、５０により、クロス棒材１３に対して直角に支持される。石膏ボード１５は、好適な締結具１６により下地溝型材１４に対して取り付けられるか、またはネジ固定される。石膏ボード１５が定位置にネジ固定される前に石膏ボード接着剤が下地溝型材１４の下面に塗布され得る。Ｇｙｐｒｏｃｋとも知られている石膏ボード１５は、壁部および天井のための裏張り用の物質であり、石膏プラスターの芯からなり、係る芯が高耐久性のペーパーライナーにより囲まれている。このペーパーライナーはシートの長い縁部を包囲する。
【００４６】
各クリップ装置２０、５０は図２および図３に関連して上述したように形成される。中間位置において、２つのアーム部は、長手方向顎部９０と係合するための外向きのタブ３０およびタブ６０を有する。組み立ての間、クリップ装置２０、５０は、そのベース部分が先行する状態で上部クロス棒材１３のスロットへと上向きに押し込まれ、それによりクリップ２０、５０は、上部クロス棒材１３の長手方向顎部９０と係合するタブ３０、６０により保持されることとなるであろう。各クリップ２０、５０の各下向きに延長するアーム部２２、２３、５２、５３の外側縁部は、２つの長手方向に延長するフック要素４０、７０を担持するよう設計されている。フック要素４０、７０は、クリップ装置２０、５０の離間した位置におけるアーム部２２、２３、５２、５３の両端部に位置され、互いに対向し合うフック４０、７０を有する。フック要素４０、７０は下地溝型材１４から延長する外向きに向かい合わせの長手方向顎部１９と接続する。クリップ２０、５０も切り抜き区域４２、７２を含む。これらの切り抜き区域４２、７２は、下地溝型材１４がフック要素４０、７０に挿入され、それによりクリップ２０、５０により保持されることを可能にする。
【００４７】
図５は、以下で説明される図６および図７と同様に、下地溝型材１４と上部クロスレール１３との間に遮るもののない空隙を提供する。それにより本発明は、天井において面一に取り付けられるかまたは簡単に取り付けられる多数の現代の製品とともに利用されることが可能となる。
【００４８】
図６は隠し吊り天井システムにおけるクリップ５０の使用を示す。ここでは、スピーカ１１０およびスピーカグリル１１１が石膏ボードパネル１５において面一に取り付けられ、上部クロスレール１３と下地溝型材１４との間の空隙内に実質的に配置されている。クリップ５０の後方および上部クロスレール１３と下地溝型材１４との間の空隙内における、空調ダクト１００の容易なルーティングが、図６でも示されている。同様に、必要に応じて、空調ダクトは、クリップ５０の空隙５８を通して、またはクリップ５０の前方で、ルーティングされることが可能である。Ｙにより示される距離は、およそ２００ｍｍであり、図６で示されており、空隙と、本発明により提供される改善と、を明らかに特定する。単なる例として、クリップ５０、およびフランジ５２、５３は長さがおよそ２００ｍｍであり、これはスピーカ１１０を取り付けるための隙間を提供する。フランジ５２、５３の長さが５０ｍｍ〜５００ｍｍの範囲となり得ることが当業者により容易に理解されるであろう。したがって、上部クロスレール１３と下地溝型材１４との間に形成される空隙に対しての深さの範囲が提供され、空隙内に容易に取り付けられ得る構成要素の範囲が増大されることとなる。
【００４９】
図７では、本発明のさらなる使用状況が示されている。ここでは電球または埋め込み式の電灯１２１を有する照明器具１２０と、取り付けクリップ１２３と、が石膏ボードパネル１５に取り付けられ、上部クロスレール１３と下地溝型材１４との間の空隙内に配置されている、隠し吊り天井システムにおいてクリップ５０が使用されている。上部クロスレール１３と下地溝型材１４の底部との間の空隙に構成要素を取り付けるときには、多くの場合、電気配線導管１２２および空調ダクトならびに調風装置などの補助製品の空隙におけるルーティングまたは取り付けも必要となる。これらの補助製品は、図７で示されているようにクリップ５０の後方に取り付けられてもよく、またはクリップ５０内の空隙５８を通して、クリップ５０の前方に、ルーティングされてもよい。理解され得るように、多数の異なる製品は、隠し天井の石膏ボード１５上に取り付けられてもよく、または吊り天井の石膏ボード１５後方のプレナムから懸下されてもよい。例えば、空調プレナムボックスおよびクッションボックスが、上部クロスレール１３と下地溝型材１４との間に形成された空隙に取り付けられ得る。これらのボックスは通常、空調システムにおいて空気を供給または戻すために使用され、天井空間内の空調調風装置の上方に設置される。
【００５０】
図８では本発明のさらなる使用状況が示されている。ここでは隠し吊り天井システムにおけるクリップ５０、１３０が、バルクヘッドまたは箱状区域１１５が必要とされる場合に使用されている。バルクヘッドという用語は、より低い天井のエリアの垂直表面と同じ高さになるまで天井から下方に延長する梁または他の垂直壁部におけるあらゆる箱状区域を指すために頻繁に使用される。通常、バルクヘッドは、空調用の配管、水、汚水用の配管、またはいくつかの他の構成要素を移動させることが不可能であるときに、使用される。この場合、吊り天井は、露出された構成要素の周りに構築されなければならない。バルクヘッドは、天井における異なる高さを示すための天井特徴物としても使用され得る。
【００５１】
単に例示として、図８で示されているように、２つのクリップ５０が天井の第１区域で利用され、第２クリップ１３０が吊り天井の第２区域で利用されている。第１区域は第１の高さに取り付けられた水平な石膏ボード１５を有し、第２区域は第２の高さに取り付けられた水平な石膏ボード１５を有する。２つの水平な石膏ボード１５は垂直な石膏ボード１５により接合され、それにより吊り天井が形成される。クリップ５０は約２００ｍｍの垂直長さを有し、クリップ１３０は約４００ｍｍの垂直長さを有する。２つのクリップ５０、１３０の高さにおける差異は、吊りバルクヘッド１１５の形成を可能にする。
【００５２】
上述のクリップ２０およびクリップ５０と同様に、クリップ１３０は、上部クロスレール１３とスナップ係合するよう設計されている。クリップ１３０はその構成が溝型材となっており、第１端部１３２から第２端部１３３まで延長する長手方向基部１３１と、基部１３１から下向きに延長する、１対の長手方向に延長するフランジ１３４と、を有する。フランジ１３４は基部１３１の近傍に初期中間区域を有する。この中間区域は基部１３１に対して略直角に延長し、１つまたは複数の突起物または外側に向けられたタブを収容する。フランジ１３４は、基部１３１の中心を通り端部１３２および１３３の両方に位置合わせされた垂直軸に対して約３０度の角度をなす。
【００５３】
クリップ２０、５０と同様に、突起物は中間区域におけるフランジ１３４からプレス成形され、それにより傾斜表面が形成される。クリップ１３０も、各フランジ１３４において、少なくとも１つの、好適には２つの、強化要素１３５を有する。クリップ１３０のフック端部においてさらなる強化を提供するために、プレートが、クリップ１３０のフランジ１３４の底部コーナーにおいて固定的に保持される。通常、プレートは各フランジ１３４のフック７０の近傍の底部縁部に沿った定位置に溶接される。さらにプレートはフランジ１３４間で異なる高さに挿入され得、各プレートの位置はフランジ１３４の長さに依存し、したがって、石膏ボード１５の裏面と、上部クロスレール１３の底部と、の間に要求される空隙のサイズに、依存する。
【００５４】
各フランジ１３４の外側下方縁部は、２つの長手方向に延長するフック要素７０を担持する。これらのフック要素７０は、クリップ装置１３０上の離間した位置におけるアーム部１３４の各端部に配置され、互いに対向し合うフック７０を有する。フック要素７０は下地溝型材１４から延長する外向きに向かい合わせの長手方向顎部１９と接続する。底部区域は、端部ポイントへと突出するフック７０と、下地溝型材１４を切り抜き区域へと挿入することが可能となるよう設計された切り抜き区域と、を含む。下地溝型材１４の向かい合わせの長手方向顎部１９を上向きに押し上げると、クリップ１３０のフック７０内に保持される。したがって、切り抜き区域の形状は下地溝型材１４の上部区域の形状と実質的に一致する。フランジ１３４の各アーム部は、上部クロスレール１３と、下地溝型材１４の底部（石膏ボード１５が下地溝型材１４の表面に固定される）と、の間の隙間を提供するようなサイズである。したがって、石膏ボード１５の裏面と、上部クロスレール１３の底部と、の間に空隙を提供することにより、スピーカ、照明器具、および空調設備の構成要素などの製品を容易に設置することが可能となる。
【００５５】
理解され得るように、クリップおよび吊り天井の構成要素は、任意の弾性変形可能な物質から製造され得る。弾性変形可能な物質とは、弾性変形するときにエネルギーを吸収し、負荷軽減の際にはエネルギーを放出する能力を有する物質である。応力が印加されたときには寸法の変化を物質に生じさせ、応力が解放されたときには実質的に同じ寸法に戻る任意の物質であり、アルミニウムまたはスチール製のシートメタルなどである。強度対密度比に対する高強度の特性のために普及しつつある別のシート製品は、高密度ポリエチレン（ＨＤＰＥ）またはポリエチレン高密度（ＰＥＨＤ）である。これは、石油から作られたポリエチレン熱可塑性物質である。本発明の製造は、ＨＤＰＥから、または、弾性変形が可能である他のプラスチック材料からも可能である。
【００５６】
上記の形状が使用されるものとして説明されてきたが、他の形状およびサイズも、本発明から逸脱することなく使用可能であることを理解すべきである。クリップ２０、５０、１３０のサイズは、フランジが５０ｍｍ〜５００ｍｍの高さを有するような、範囲となり得る。
【００５７】
同様に、わずかな応用について説明してきたが、本発明はこれらの応用のみに限定されるわけではない。例えば、本発明は、湾曲もしくは傾斜した天井または任意の片持ち天井を作成するためにも使用され得る。
【００５８】
照明器具、空調モジュール、およびスピーカなどの面一に取り付けられるかまたは天井に取り付けられる構成要素のための空隙を提供するものとして本発明について説明してきたが、多数の異なる構成要素が、面一に取り付けられるかまたは天井内に取り付けられ得、正確に取り付けられることが可能となるためには、石膏ボードの背後に空隙が必要となることを理解すべきである。したがって、本発明は本明細書に記載のこれらの製品のみに限定されるべきではない。
【００５９】
懸下ハンガー、上部クロスレール、下地溝型材、およびクリップの位置および個数は、必要とされる特定的な隠し吊り天井に依存し、通常は設計段階の間に天井荷重が決定されるときに決定されるであろう。
【００６０】
上述の吊り天井については建築物の内部に構築された内部天井に関して説明してきたが、吊り天井が建築物の外部に嵌合され得ることも理解すべきである。屋外日除けの下の吊り天井がその例として挙げられる。
【００６１】
特長
本発明は、上部クロス溝型材と石膏ボードの後方側面との間の間隙の利点を提供する。この間隙は、製品が吊り石膏ボード天井に容易に且つ確実に取り付けられることを可能にする。これらの直接固定システムが審美的により快適となるためには、係るシステムは、石膏ボードを懸下するための特殊な支持グリッドを必要とする。石膏ボードが下地溝型材に直接的に固定されているために、仕上げられた石膏ボード表面と上部クロスレールとの間の距離は、下地溝型材を上部クロスレールに保持する固定キーにより決定される。広い側面フランジを有する固定キーまたはクリップを提供することは、埋め込み式照明器具または同様の構成要素を天井に容易に取り付けるための多機能性を提供する。
【００６２】
石膏ボードを直接固定するために必要とされる下地溝型材および上部クロスレールの数を考慮すると、照明器具、スピーカ、空調ダクト、および通気孔などの製品が配置され得る場所がある程度限定されることとなり得る。これらの製品は通常、石膏ボードの外側表面上で面一に取り付けられ、これらの製品のサイズの大部分は、石膏ボードと、吊り天井のフレームを形成する溝型材のグリッドワークと、の間に形成される天井空隙内に配置される。したがって、空隙内で十分な隙間を有するクリップを提供することは、大部分の製品を天井に取り付けることを可能にする。同様に、これらの製品は通常、何らかの形態のクリップ保持器を使用して取り付けられる。クリップ保持器は、製品が配置される石膏ボードの反対側面上に取り付けられる必要がある。したがって、吊り天井の溝型材のグリッドワーク内にこれらの取り付け装置に対して十分な隙間が必要である。本発明はその隙間と、係る製品を吊り天井に容易に取り付ける能力と、を提供する。
【００６３】
変化例
上記の記載が単に具体例として与えられたものであること、および当業者に明らかになるであろう全ての他の変更形態および変形形態が、本明細書で記載の本発明の広範な範囲および領域に含まれること、が理解されるであろう。
【００６４】
本明細書では、第１および第２、左および右、上部および底部、その他の形容詞は、任意の実際の係る関係または順序を必ずしも要求または含意することなく、１つの要素または動作を他の要素または動作から単に区別するために使用され得る。文脈が許す限り、１つの整数、または構成要素、またはステップ（またはその他）に対する参照は、１つのみの当該の整数、構成要素、またはステップに限定されるものと解釈されるべきではなく、むしろ１つまたは複数の当該の整数、構成要素、またはステップ、その他であり得る。
【００６５】
本明細書では、「〜を含む（ｃｏｍｐｒｉｓｉｎｇ）」という用語は、「〜を包含する（ｉｎｃｌｕｄｉｎｇ）」という用語と同様に広範な意味を有するものと理解されるべきであり、他のいかなる整数またはステップまたは整数もしくはステップの群の除外ではなく、記載された整数、またはステップ、または整数もしくはステップの群を含むこと、を含意するものと理解されるであろう。この定義は、「〜を含む（ｃｏｍｐｒｉｓｉｎｇ）」という用語の変化例（例えば「〜を含む」（「ｃｏｍｐｒｉｓｅ」および「ｃｏｍｐｒｉｓｅｓ」））にも適用される。
【国際調査報告】
2017520693.tif 000011
2017520693.tif 000012
2017520693.tif 000013
2017520693.tif 000014
2017520693.tif 000015